(57)【要約】  タルボ干渉計、タルボ・ロー干渉計により生成されたモアレ画像から作成される再構成画像を有効活用して、早期診断を実現するとともに、診断精度の向上を図る。  医用画像表示システムによれば、コントローラ５の制御部５１は、Ｘ線撮影装置１において縞走査型撮影装置による第１の撮影モード、又はフーリエ変換型撮影装置による第２の撮影モードによる撮影によって得られたモアレ画像に基づいて、Ｘ線吸収画像、微分位相画像、及び小角散乱画像のうち少なくとも２つを作成する。そして、作成された画像の表示部５３への制御を行う。
2012128335.tif 000002
【特許請求の範囲】
【請求項１】
Ｘ線を照射するＸ線源と、
前記Ｘ線の照射軸方向と直交する方向に複数のスリットが配列されて構成された第１格子及び第２格子と、
被写体台と、
照射されたＸ線に応じて電気信号を生成する変換素子が２次元状に配置され、当該変換素子により生成された電気信号を画像信号として読み取るＸ線検出器と、
を備える縞走査型撮影装置又はフーリエ変換型撮影装置と、
前記何れかの撮影装置で撮影された被写体の画像信号に基づき、当該被写体のＸ線吸収画像、微分位相画像、及び小角散乱画像のうち少なくとも２つを生成する画像処理部と、
前記画像処理部で生成された画像を表示する表示部と、
前記画像処理部で生成された画像の前記表示部への表示を制御する制御部と、
を備える医用画像表示システム。
【請求項２】
前記制御部は、前記画像処理部で生成された少なくとも２つの画像を前記表示部に所定時間毎に順次切替表示させる請求項１に記載の医用画像表示システム。
【請求項３】
前記縞走査型撮影装置は、前記Ｘ線源近傍に配置されたマルチスリットを有し、当該マルチスリットを前記第１格子及び第２格子に対して相対移動させるタルボ・ロー干渉計である請求項１又は２に記載の医用画像表示システム。
【発明の詳細な説明】
【技術分野】
【０００１】
本発明は、医用画像表示システムに関する。
【背景技術】
【０００２】
診断に用いられる医療用のＸ線画像のほとんどは、吸収コントラスト法による画像である。吸収コントラスト法は、Ｘ線が被写体を透過したときのＸ線強度の減衰の差によりコントラストを形成する。一方、Ｘ線の吸収ではなく、Ｘ線の位相変化によってコントラストを得る位相コントラスト法が提案されている。例えば、拡大撮影時のＸ線の屈折を利用したエッジ強調によって視認性の高いＸ線画像を得る位相コントラスト撮影が行われている（例えば、特許文献１、２参照）。【０００３】
吸収コントラスト法は骨等のＸ線吸収が大きい被写体の撮影に有効である。これに対し、位相コントラスト法はＸ線吸収差が小さく、吸収コントラスト法によっては画像として現れにくい乳房の組織や関節軟骨、関節周辺の軟部組織をも画像化することが可能であり、Ｘ線画像診断への適用が期待されている。【０００４】
位相コントラスト撮影の１つとして、タルボ効果を利用するタルボ干渉計も検討されている（例えば、特許文献３〜５）。タルボ効果とは、一定の周期でスリットが設けられた第１格子を、干渉性の光が透過すると、光の進行方向に一定周期でその格子像を結ぶ現象をいう。この格子像は自己像と呼ばれ、タルボ干渉計は自己像を結ぶ位置に第２格子を配置し、この第２格子をわずかにずらすことで生じる干渉縞を測定する。第２格子の前に物体を配置するとモアレが乱れることから、タルボ干渉計によりＸ線撮影を行うのであれば、第１格子の前に被写体を配置して干渉性Ｘ線を照射し、得られたモアレの画像を演算することによって被写体の再構成画像を得ることが可能である。【０００５】
また、Ｘ線源と第１格子間にマルチスリットを設置し、Ｘ線の照射線量を増大させるタルボ・ロー干渉計も提案されている（例えば、特許文献６参照）。従来のタルボ・ロー干渉計は、第１格子又は第２格子を移動しながら（両格子を相対移動させながら）、一定周期間隔のモアレ画像を複数撮影するものであり、マルチスリットは、Ｘ線量の増大のために設けられている。【０００６】
また、本願出願人は、タルボ・ロー干渉計において、マルチスリットを第１格子及び第２格子に対して移動せしめることで機械精度の良い走査を可能とし、高精細な画像を得ることができるシステムについて出願した（特許文献７参照）。また、本願出願人は、タルボ・ロー干渉計において高精細な画像を得ることができるシステムについて出願した（特許文献８参照）。【０００７】
モアレ画像から再構成画像を作成する手法としては、上述のようにタルボ干渉計、タルボ・ロー干渉計により得られた一定周期間隔の複数のモアレ画像から縞走査法により再構成画像を作成するものの他、一枚のモアレ画像からフーリエ変換法を用いて再構成画像を作成する手法も知られている（例えば、非特許文献１参照）。フーリエ変換法により得られる再構成画像は縞走査法に比べて空間分解能が落ちるものの、縞走査法のように複数枚のモアレ画像を必要としない。そのため、撮影時間の短縮、複数回の撮影の間に於ける被写体の体動の影響の抑制を図ることができる。さらに撮影時の走査用機構動作がなくなるため、格子或いはマルチスリットの送り機構の誤差による偽像も無くなる。【０００８】
ところで、Ｘ線画像を用いて一の患者の経過観察を行う場合、当該患者の過去の画像と同一ポジショニング、同一撮影条件で撮影を行い、医師が比較読影をしやすいように今回撮影した診断画像と過去画像との両方を並べて表示することがしばしば行われている（例えば、特許文献９参照）。【０００９】
また、ある病変の有無、例えば、乳房における腫瘤や石灰化の有無を診断する時、診断対象の患者のＸ線画像とともに、疑いのある病変の典型的な症例画像、教示画像、正常画像等を並べて表示することで診断精度を向上させるようにすることも行われている。また、ＣＡＤ（Computer-Aided Diagnosis）による異常陰影候補の検出結果を診断支援情報として使用したり（例えば、特許文献１０参照）、Ｘ線画像と超音波画像の両画像を診断に使用したりすることも行われている（例えば、特許文献１１参照）。
【先行技術文献】
【特許文献】
【００１０】
【特許文献１】特開２００７−２６８０３３号公報
【特許文献２】特開２００８−１８０６０号公報
【特許文献３】特開昭５８−１６２１６号公報
【特許文献４】国際公開第２００４／０５８０７０号
【特許文献５】特開２００７−２０３０６３号公報
【特許文献６】国際公開第２００８／１０２８９８号
【特許文献７】国際公開第２０１１／０３３７９８号
【特許文献８】国際公開第２０１１／１１４８４５号
【特許文献９】特開２０１０−５１５２３号公報
【特許文献１０】特開２００４−２３０００１号公報
【特許文献１１】特開２００８−１６１２８３号公報
【非特許文献】
【００１１】
【非特許文献１】M. Takeda, H．Ina, and S．Kobayashi,「Fourier-Transform Methode of Fringe-Pattern Analysis for Computer-Based Topography and Interferometry」J.Opt.Soc.Am.72,156（1982）
【非特許文献２】山田朝治、横関俊介編著「モアレ縞・干渉縞応用計測法」、コロナ社、１９９６年１２月１０日
【発明の概要】
【発明が解決しようとする課題】
【００１２】
ＣＡＤの異常陰影候補の検出結果を診断支援情報として使用する場合は、Ｘ線画像（吸収画像）に基づく医師の読影結果に対し、ＣＡＤの検出結果をセカンドオピニオンとして用いるものであるが、ＣＡＤの異常陰影候補検出アルゴリズムをどのように適用するか（異常陰影候補であるか否かの判定に用いる閾値の設定を高めにして少なくとも明らかに真陽性の候補を検出する、又は、閾値の設定を低めにして検出漏れがないようにする等）によって読影時間が大きく異なり、医師の疲労度も相違し、診断精度も安定しない。Ｘ線乳房画像と超音波画像の両画像を診断に使用する場合は、２系統の撮影を行う必要があり、医師及び被検者の負担（工数、費用ともに）が大きい。【００１３】
本発明の課題は、タルボ干渉計、タルボ・ロー干渉計により生成されたモアレ画像から作成される再構成画像を有効活用して、早期診断を実現するとともに、診断精度の向上を図ることである。
【課題を解決するための手段】
【００１４】
上記課題を解決するため、本発明の第１の側面によると、医用画像表示システムは、
Ｘ線を照射するＸ線源と、
前記Ｘ線の照射軸方向と直交する方向に複数のスリットが配列されて構成された第１格子及び第２格子と、
被写体台と、
照射されたＸ線に応じて電気信号を生成する変換素子が２次元状に配置され、当該変換素子により生成された電気信号を画像信号として読み取るＸ線検出器と、
を備える縞走査型撮影装置又はフーリエ変換型撮影装置と、
前記何れかの撮影装置で撮影された被写体の画像信号に基づき、当該被写体のＸ線吸収画像、微分位相画像、及び小角散乱画像のうち少なくとも２つを生成する画像処理部と、
前記画像処理部で生成された画像を表示する表示部と、
前記画像処理部で生成された画像の前記表示部への表示を制御する制御部と、
を備える。【００１５】
前記制御部は、前記画像処理部で生成された少なくとも２つの画像を前記表示部に所定時間毎に順次切替表示させることが好ましい。【００１６】
前記縞走査型撮影装置は、前記Ｘ線源近傍に配置されたマルチスリットを有し、当該マルチスリットを前記第１格子及び第２格子に対して相対移動させるタルボ・ロー干渉計であることが好ましい。
【発明の効果】
【００１７】
本発明によれば、タルボ干渉計、タルボ・ロー干渉計により生成されたモアレ画像から作成される再構成画像を有効活用して、早期診断を実現するとともに、診断精度の向上を図ることが可能となる。
【図面の簡単な説明】
【００１８】
【図１】本実施形態に係る医用画像表示システム（Ｘ線撮影装置の側面図を含む）を示す図である。
【図２Ａ】マルチスリットの平面図である。
【図２Ｂ】ホルダーにマルチスリットを保持した状態の平面図及び側面図である。
【図３】マルチスリット回転部の平面図及び側面図である。
【図４Ａ】被写体ホルダーの平面図である。
【図４Ｂ】被写体ホルダーの側面図である。
【図５】格子回転部の平面図である。
【図６】第１格子及び第２格子を装着した状態の格子回転部の平面図及び側面図である。
【図７Ａ】図１の保持部における格子回転部の保持部分を拡大して示した平面図である。
【図７Ｂ】図７ＡにおけるＥ−Ｅ´断面図である。
【図７Ｃ】保持部に格子回転部を保持した状態を示す図である。
【図７Ｄ】第１格子及び第２格子とＸ線検出器とを一体的に回転可能な回転トレイを示す断面図である。
【図８】本体部の機能的構成を示すブロック図である。
【図９】コントローラの機能的構成を示すブロック図である。
【図１０】タルボ干渉計の原理を説明する図である。
【図１１】Ｘ線撮影装置の制御部による撮影制御処理を示すフローチャートである。
【図１２】図１１のステップＳ２で実行される第１の撮影モード処理を示すフローチャートである。
【図１３】図１１のステップＳ３で実行される第２の撮影モード処理を示すフローチャートである。
【図１４】コントローラの制御部により実行される縞走査法による再構成画像作成・表示処理を示すフローチャートである。
【図１５】複数のモアレ画像間のＸ線強度変動補正を説明するための図である。
【図１６】５ステップの撮影により得られるモアレ画像を示す図である。
【図１７】各ステップのモアレ画像の注目画素のＸ線相対強度を示すグラフである。
【図１８Ａ】吸収画像の一例を示す図である。
【図１８Ｂ】微分位相画像の一例を示す図である。
【図１８Ｃ】小角散乱画像の一例を示す図である。
【図１９】コントローラの制御部により実行されるフーリエ変換法による再構成画像作成・表示処理を示すフローチャートである。
【図２０Ａ】第２の撮影モードで撮影された被写体有りのモアレ画像の一例を示す図である。
【図２０Ｂ】図２０Ａのモアレ画像を二次元フーリエ変換した結果を示す図である。
【図２１Ａ】第２の撮影モードで撮影された被写体無しのモアレ画像の一例を示す図である。
【図２１Ｂ】図２１Ａのモアレ画像を二次元フーリエ変換した結果を示す図である。
【図２２】格子のスリット方向を縦に配置したときの格子方向、第１の撮影モードにおいて撮影された干渉縞、第２の撮影モードにおいて撮影された干渉縞、第２の撮影モードにおいて撮影された干渉縞をフーリエ変換した結果、を示す図である。
【図２３】格子のスリット方向を横に配置したときの格子方向、第１の撮影モードにおいて撮影された干渉縞、第２の撮影モードにおいて撮影された干渉縞、第２の撮影モードにおいて撮影された干渉縞をフーリエ変換した結果、を示す図である。
【図２４】格子のスリット方向を斜めに配置したときの格子方向、第１の撮影モードにおいて撮影された干渉縞、第２の撮影モードにおいて撮影された干渉縞、第２の撮影モードにおいて撮影された干渉縞をフーリエ変換した結果、を示す図である。
【図２５】フーリエ変換して得られた０次成分をＨａｎｎｉｎｇ窓で切り出した例を示す図である。
【図２６】フーリエ変換して得られた１次成分をキャリア周波数分シフトさせて、Ｈａｎｎｉｎｇ窓で切り出した例を示す図である。
【図２７】改良型フーリエ変換法における窓の一例を示す図である。
【図２８Ａ】縞走査法により得られた被写体の再構成画像の一例を示す図である。
【図２８Ｂ】改良型フーリエ変換法により得られた再構成画像の一例を示す図である。
【図２８Ｃ】従来のフーリエ変換法により得られた再構成画像の一例を示す図である。
【図２９】第１の実施形態における再構成画像の表示の一例を示す図である。
【図３０】第２の実施形態における再構成画像の表示の一例を示す図である。
【図３１】第２の実施形態における再構成画像の表示の他の例を示す図である。
【図３２】異常陰影候補と閾値との関係を説明するための図である。
【図３３Ａ】吸収画像、小角散乱画像、微分位相画像、切替表示画像が並べて配置された診断用画面の一例を示す図である。
【図３３Ｂ】吸収画像、小角散乱画像、微分位相画像、切替表示画像が並べて配置された診断用画面の他の例を示す図である。
【図３４】吸収画像、切替表示画像が並べて配置された診断用画面の例を示す図である。
【発明を実施するための形態】
【００１９】
（第１の実施形態）
以下、図面を参照して本発明の第１の実施形態について説明する。
図１に、第１の実施形態に係る医用画像表示システムを示す。医用画像表示システムは、Ｘ線撮影装置１とコントローラ５を備える。Ｘ線撮影装置１は、縞走査型撮影装置として機能する第１の撮影モードと、フーリエ変換型撮影装置として機能する第２の撮影モードとを有する装置である。縞走査型撮影装置は、縞走査法による再構成画像用にタルボ・ロー干渉計により複数ステップで撮影を行い、複数のモアレ画像を生成するものである。フーリエ変換型撮影装置は、フーリエ変換法による再構成画像用に１又は２方向で撮影を行い、１又は２のモアレ画像を生成するものである。
本実施形態においては、Ｘ線撮影装置１の構成は、手指を被写体として撮影する装置を例にとり説明するが、これに限定されるものではない。
【００２０】
Ｘ線撮影装置１は、図１に示すように、Ｘ線源１１、マルチスリット１２、被写体台１３、第１格子１４、第２格子１５、Ｘ線検出器１６、保持部１７、本体部１８等を備える。Ｘ線撮影装置１は縦型であり、Ｘ線源１１、マルチスリット１２、被写体台１３、第１格子１４、第２格子１５、Ｘ線検出器１６は、この順序に重力方向であるｚ方向に配置される。Ｘ線源１１の焦点とマルチスリット１２間の距離をｄ１（ｍｍ）、Ｘ線源１１の焦点とＸ線検出器１６間の距離をｄ２（ｍｍ）、マルチスリット１２と第１格子１４間の距離をｄ３（ｍｍ）、第１格子１４と第２格子１５間の距離をｄ４（ｍｍ）で表す。
【００２１】
距離ｄ１は好ましくは５〜５００（ｍｍ）であり、さらに好ましくは５〜３００（ｍｍ）である。
距離ｄ２は、一般的に放射線科の撮影室の高さは３（ｍ）程度又はそれ以下であることから、少なくとも３０００（ｍｍ）以下であることが好ましい。なかでも、距離ｄ２は４００〜２５００（ｍｍ）が好ましく、さらに好ましくは５００〜２０００（ｍｍ）である。
Ｘ線源１１の焦点と第１格子１４間の距離（ｄ１＋ｄ３）は、好ましくは３００〜２８００（ｍｍ）であり、さらに好ましくは４００〜１８００（ｍｍ）である。
Ｘ線源１１の焦点と第２格子１５間の距離（ｄ１＋ｄ３＋ｄ４）は、好ましくは４００〜３０００（ｍｍ）であり、さらに好ましくは５００〜２０００（ｍｍ）である。
それぞれの距離は、Ｘ線源１１から照射されるＸ線の波長から、第２格子１５上に第１格子１４による格子像（自己像）が重なる最適な距離を算出し、設定すればよい。
【００２２】
Ｘ線源１１、マルチスリット１２、被写体台１３、第１格子１４、第２格子１５、Ｘ線検出器１６は、同一の保持部１７に一体的に保持され、ｚ方向における位置関係が固定されている。保持部１７はＣ型のアーム状に形成され、本体部１８に設けられた駆動部１８ａによりｚ方向に移動（昇降）可能に本体部１８に取り付けられている。
Ｘ線源１１は、緩衝部材１７ａを介して保持されている。緩衝部材１７ａは、衝撃や振動を吸収できる材料であれば何れの材料を用いてもよいが、例えばエラストマー等が挙げられる。Ｘ線源１１はＸ線の照射によって発熱するため、Ｘ線源１１側の緩衝部材１７ａは加えて断熱素材であることが好ましい。
【００２３】
Ｘ線源１１はＸ線管を備え、当該Ｘ線管によりＸ線を発生させてｚ方向（重力方向）にＸ線を照射する。Ｘ線管としては、例えば医療現場で広く一般に用いられているクーリッジＸ線管や回転陽極Ｘ線管を用いることができる。陽極としては、タングステンやモリブデンを用いることができる。
Ｘ線の焦点径は、０．０３〜３（mm）が好ましく、さらに好ましくは０．１〜１（mm）である。
【００２４】
マルチスリット１２は回折格子であり、図２Ａに示すように複数のスリットが所定間隔で配列されて設けられている。この複数のスリットは、Ｘ線照射軸方向（図１のｚ方向）と直交する方向（図２Ａに白矢印で示す）に配列されている。マルチスリット１２はシリコンやガラスといったＸ線の吸収率が低い材質の基板上に、タングステン、鉛、金といったＸ線の遮蔽力が大きい、つまりＸ線の吸収率が高い材質により形成される。例えば、フォトリソグラフィーによりレジスト層がスリット状にマスクされ、ＵＶが照射されてスリットのパターンがレジスト層に転写される。露光によって当該パターンと同じ形状のスリット構造が得られ、電鋳法によりスリット構造間に金属が埋め込まれて、マルチスリット１２が形成される。
【００２５】
マルチスリット１２のスリット周期は１〜６０（μｍ）である。スリット周期は、図２Ａに示すように隣接するスリット間の距離を１周期とする。スリットの幅（各スリットのスリット配列方向の長さ）はスリット周期の１〜６０（％）の長さであり、さらに好ましくは１０〜４０（％）である。スリットの高さ（ｚ方向の高さ）は１〜５００（μｍ）であり、好ましくは１〜１５０（μｍ）である。
マルチスリット１２のスリット周期をｗ０（μｍ）、第１格子１４のスリット周期をｗ１（μｍ）とすると、スリット周期ｗ０は下記式により求めることができる。
ｗ０＝ｗ１・（ｄ３＋ｄ４）／ｄ４
当該式を満たすように周期ｗ０を決定することにより、マルチスリット１２及び第１格子１４の各スリットを通過したＸ線により形成される自己像が、それぞれ第２格子１５上で重なり合い、いわばピントが合った状態とすることができる。
【００２６】
マルチスリット１２は、図２Ｂに示すように、ラック１２ａを有するホルダー１２ｂに保持されている。ラック１２ａは、マルチスリット１２のスリット配列方向に設けられている。ラック１２ａは、後述する駆動部１２２のピニオン１２２ｃと係合し、ピニオン１２２ｃの回転（位相角）に応じてホルダー１２ｂに保持されたマルチスリット１２をスリット配列方向に移動させるためのものである。  
【００２７】
本実施形態において、Ｘ線撮影装置１には、マルチスリット回転部１２１及び駆動部１２２が設けられている。マルチスリット回転部１２１は、第１格子１４及び第２格子１５のＸ線照射軸周りの回転に応じてマルチスリット１２をＸ線照射軸周りに回転させるための機構である。駆動部１２２は、複数のモアレ画像の撮影のためにマルチスリット１２をスリット配列方向に移動させるための機構である。
【００２８】
図３に、マルチスリット回転部１２１及び駆動部１２２の平面図及びＡ−Ａ´断面図を示す。
【００２９】
図３に示すように、マルチスリット回転部１２１は、モータ部１２１ａ、ギア部１２１ｂ、ギア部１２１ｃ、支持部１２１ｄ等を備えて構成されている。モータ部１２１ａ、ギア部１２１ｂ、ギア部１２１ｃは、支持部１２１ｄを介して保持部１７に保持されている。
モータ部１２１ａは、マイクロステップ駆動に切り替え可能なパルスモータであり、制御部１８１（図８参照）からの制御に応じて駆動され、ギア部１２１ｂを介してギア部１２１ｃをＸ線照射軸（図３に一点鎖線Ｒで示す）を中心として回転させる。ギア部１２１ｃは、ホルダー１２ｂに保持されたマルチスリット１２を装着するための開口部１２１ｅを有している。ギア部１２１ｃを回転させることにより、開口部１２１ｅに装着されたマルチスリット１２をＸ線照射軸周りに回転させ、マルチスリット１２のスリット配列方向を可変することができる。なお、撮影において、マルチスリット１２は０°〜９０°程度回転できればよいので、ギア部１２１ｃは全周にある必要はなく、図３に２点鎖線で示す範囲（正逆回転方向にそれぞれ９０°）で回転できればよい。
開口部１２１ｅは、ホルダー１２ｂに保持されたマルチスリット１２を上部から嵌め込むことが可能な形状及びサイズとなっている。ここでは、開口部１２１ｅにおけるスリット配列方向のサイズｗ４はホルダー１２ｂにおけるスリット配列方向のサイズＷ２より若干大きくなっており、マルチスリット１２をスリット配列方向にスライドさせることが可能となっている。なお、開口部１２１ｅにおけるスリット配列方向に直交する方向のサイズｗ３は、ホルダー１２ｂにおけるスリット配列方向に直交する方向のサイズＷ１との精密嵌合可能な寸法としており、ホルダー１２ｂを開口部１２１ｅに装着すると、ホルダー１２ｂに設けられたラック１２ａは開口部１２１ｅの外に、後述するピニオン１２２ｃと係合可能に配置される。
【００３０】
駆動部１２２は、マルチスリット周期に応じ０．１μｍ〜数十μｍ単位でマルチスリット１２をスリット配列方向に移動させる精密減速機等を備えて構成される。駆動部１２２は、例えば、図３に示すように、モータ部１２２ａ、ギア部１２２ｂ、ピニオン１２２ｃ等を備えて構成され、図示しないＬ字型板金等によりマルチスリット回転部１２１のギア部１２１ｃに固定されている。これにより、マルチスリット１２と駆動部１２２は一体的に回転されるようになっている。
モータ部１２２ａは、例えば、制御部１８１からの制御に応じて駆動され、ギア部１２２ｂを介してピニオン１２２ｃを回転させる。ピニオン１２２ｃは、マルチスリット１２のラック１２ａと係合して回転することで、マルチスリット１２をスリット配列方向に移動させる。
【００３１】
図１に戻り、被写体台１３は、被写体である手指を載置するための台である。被写体台１３は、患者の肘が載置できる高さに設けられていることが好ましい。このように、患者の肘まで載置できるように構成することで、患者は楽な姿勢となり、比較的長時間にわたる撮影の間に、指先の撮影部位の動きを低減させることができる。
【００３２】
また、被写体台１３には、被写体を固定するための被写体ホルダー１３０が設けられている。被写体ホルダー１３０は、被写体に応じて着脱可能である。図４Ａに示すように、被写体ホルダー１３０は、手のひらで掴みやすいマウスのような楕円形状１３１のついた板状の部材である。上記楕円形状１３１は、その断面を側面から観察すると、図４Ｂに示すように、手のひらサイズのなだらかな凸曲面となっており、患者が手のひらで楕円形状１３１を掴むことで、被写体が疲れにくい状態で被写体の下方への動きを抑制することができる。
【００３３】
被写体ホルダー１３０が場所によってＸ線複素屈折率の不均一な形状又は厚みを有している場合、Ｘ線検出器１６に到達するＸ線量は被写体ホルダー１３０のＸ線複素屈折率が不均一であることによってムラが生じる。
被写体ホルダー１３０上には、更に被写体姿勢を安定させるため、指間スペーサ１３３を備えることが好ましい。また、患者毎に手や指間の大きさは異なるので、患者毎の手のひらの形状に合わせて被写体ホルダー１３０を作成しておき、撮影時には、その患者用の被写体ホルダー１３０を被写体台１３にマグネット等で取り付けることが好ましい。腕から手首までの荷重は被写体台１３が支えるので、被写体ホルダー１３０は指先部分の加重と患者が上方から押さえる力に耐えるものであればよく、安価で量産が可能なプラスチック成形とすることが可能である。
【００３４】
図１に戻り、第１格子１４は、マルチスリット１２と同様にＸ線照射軸方向であるz方向と直交する方向に複数のスリットが配列されて設けられた回折格子である。第１格子１４は、マルチスリット１２と同様にＵＶを用いたフォトリソグラフィーによって形成することもできるし、いわゆるＩＣＰ法によりシリコン基板に微細細線で深掘加工を行い、シリコンのみで格子構造を形成することとしてもよい。第１格子１４のスリット周期は１〜２０（μｍ）である。スリットの幅はスリット周期の２０〜７０（％）であり、好ましくは３５〜６０（％）である。スリットの高さは１〜１００（μｍ）である。
【００３５】
第１格子１４として位相型を用いる場合、スリットの高さ（ｚ方向の高さ）はスリット周期を形成する２種の素材、つまりＸ線透過部とＸ線遮蔽部の素材による位相差がπ／８〜１５×π／８となる高さとする。好ましくは、π／４〜３×π／４となる高さである。第１格子１４として吸収型を用いる場合、スリットの高さはＸ線遮蔽部によりＸ線が十分吸収される高さとする。
【００３６】
第１格子１４が位相型である場合、第１格子１４と第２格子１５間の距離ｄ４は、次の条件をほぼ満たすことが必要である。
ｄ４＝（ｍ＋１／２）・ｗ１２／λ
なお、ｍは整数であり、λはＸ線の波長である。
【００３７】
上記条件は第１格子１４がπ／２型格子であること、つまり、第１格子のＸ線遮蔽部とＸ線透過部の素材による位相差がπ／２近傍にある場合の例を述べたが、第１格子１４はπ型を用いても良く、使用する格子の型式に応じた条件を演算すればよい。
【００３８】
第２格子１５は、マルチスリット１２と同様に、Ｘ線照射軸方向であるｚ方向と直交する方向に複数のスリットが配列されて設けられた回折格子である。第２格子１５もフォトリソグラフィーにより形成することができる。第２格子１５のスリット周期は１〜２０（μｍ）である。スリットの幅はスリット周期の３０〜７０（％）であり、好ましくは３５〜６０（％）である。スリットの高さは１〜１００（μｍ）である。
【００３９】
本実施形態では第１格子１４及び第２格子１５は、それぞれの格子面がｚ方向に対し垂直（ｘ−ｙ平面内で平行）であり、第１格子１４のスリット配列方向と第２格子１５のスリット配列方向とは、ｘ−ｙ平面内で所定角度だけ傾けて配置されているが、両者を平行な配置としても良い。また、本実施形態において、第１格子１４及び第２格子１５は、円盤状である。
【００４０】
上記マルチスリット１２、第１格子１４、第２格子１５は、例えば下記のように構成することができる。
Ｘ線源１１のＸ線管の焦点径；３００（μｍ）、管電圧：４０（ｋＶｐ）、付加フィルタ：アルミ１．６（ｍｍ）
Ｘ線源１１の焦点からマルチスリット１２までの距離ｄ１  ：  ２４０（ｍｍ）
マルチスリット１２から第１格子１４までの距離ｄ３      ：１１１０（ｍｍ）
マルチスリット１２から第２格子１５までの距離ｄ３＋ｄ４：１３７０（ｍｍ）
マルチスリット１２のサイズ：１０（ｍｍ四方）、スリット周期：２２．８（μｍ）
第１格子１４のサイズ：５０（ｍｍ四方）、スリット周期：４．３（μｍ）
第２格子１５のサイズ：５０（ｍｍ四方）、スリット周期：５．３（μｍ）
【００４１】
本実施形態において、第１格子１４及び第２格子１５は格子回転部２１０に装着されている。図５に、格子回転部２１０の平面図を示す。図６に、第１格子１４及び第２格子１５が装着された状態の格子回転部２１０の平面図及びＤ−Ｄ´断面図を示す。
【００４２】
図５に示すように、格子回転部２１０は、回転トレイ２１２上に、ハンドル２１１、相対角調整部２１３、ストッパー２１４等を備えて構成されている。
【００４３】
回転トレイ２１２は、第１格子１４及び第２格子１５を保持するための開口部２１２ａを有している。
ここで、本実施形態において、第１格子１４は、複数のスリットが配列されてなる円形状の格子部１４０と、この格子部１４０を開口部２１２ａに取り付けるための第１ホルダー部１４１及び第２ホルダー部１４２と、により構成されている（図６参照）。第１ホルダー部１４１は、格子部１４０の外周に取り付けられた、開口部２１２ａと略同じ半径（外周の半径）の部材であり、第１格子１４の装着時に開口部２１２ａと嵌合する。第２ホルダー部１４２は、第１ホルダー部１４１より更に外側に取り付けられた、開口部２１２ａよりやや半径（外周の半径）の大きい部材である。第２ホルダー部１４２は、その外周の一部がギア加工されている。また、第２ホルダー部１４２の外周の所定位置には、突起部１４２ａが設けられている。  
第２格子１５は、複数のスリットが配列されてなる円形状の格子部１５０と、この格子部１５０を開口部２１２ａに取り付けるためのホルダー部１５１と、により構成されている。ホルダー部１５１は、開口部２１２ａの半径と略同様の半径を有する円盤状の部材である。格子部１５０はホルダー部１５１の中央部上面に保持されている（図６参照）。
【００４４】
回転トレイ２１２に第１格子１４及び第２格子１５を装着する際には、まず、第２格子１５が開口部２１２ａの底面に嵌め込まれる。次に、第１格子１４が第２格子１５の上から開口部２１２ａに嵌め込まれる。これにより、図６に示す状態で回転トレイ２１２に第１格子１４及び第２格子１５が保持される。
【００４５】
開口部２１２ａに保持された第１格子１４及び第２格子１５は、撮影モードに応じて相対角調整部２１３により互いのスリット方向の相対角度が調整される。
ここで、Ｘ線撮影装置１は、縞走査法による再構成画像用に複数ステップで撮影を行う第１の撮影モードと、フーリエ変換法による再構成画像用に１又は２方向で撮影を行う第２の撮影モードとを有している。縞走査法用の撮影において要求される第１格子１４のスリット方向と第２格子１５のスリット方向との相対角度は第２格子の周期と画像サイズと縞の本数に依存する。縞走査法においては、モアレ画像における干渉縞の本数が少ないほど、また、干渉縞が鮮明なほど、このモアレ画像に基づいて作成される再構成画像が鮮明となることが知られている（非特許文献２参照）。そこで、第２格子の周期を５．３μm、６０ｍｍ角の画像の中に干渉縞が０〜３本程度にすると仮定すると、相対角度は０度〜±０．０１５度とする必要がある。一方、フーリエ変換法用の撮影において要求される第１格子１４のスリット方向と第２格子１５のスリット方向との相対角度はＸ線検出器１６の画素ピッチと空間分解能に依存する。一般的に使用される検出器（空間分解能３０μｍ〜２００μｍ）とすると、その相対角度は０．４度〜３度とする必要がある。よって、第１の撮影モードと第２の撮影モードを切り替えて撮影を行うためには、撮影モードに応じて第１格子と第２格子の相対角度を調整する必要がある。しかし、例えば、上記構成において、縞走査法の角度の０．００５度のずれは、縞１周期分に相当する。縞走査法で常に縞が広がった状態を維持するためには、ミリ度の精度での調整が要求されるため、手動で第１格子１４及び第２格子１５のスリット方向の相対角度を調整するのは困難である。
そこで、Ｘ線撮影装置１においては、相対角調整部２１３により、操作部１８２で設定された撮影モードに応じて第１格子１４と第２格子１５の相対角度を自動的に調整することが可能となっている。
【００４６】
図５、６に示すように、相対角調整部２１３は、モータ部２１３ａ、第１ギア２１３ｂ、第２ギア２１３ｃ、レバー２１３ｄにより構成されている。モータ部２１３ａは、第２ギア２１３ｃと係合し、制御部１８１からの制御に応じて第２ギア２１３ｃを回転させる。第２ギア２１３ｃは、レバー２１３ｄを介してその中心が第１ギア２１３ｂの中心と接続されており、その円周が第１ギア２１３ｂと係合している。第２ギア２１３ｃがモータ部２１３ａの駆動に応じて回転すると、第１ギア２１３ｂが第２ギア２１３ｃの中心を回転軸として第２ギア２１３ｃの周囲に沿って回転移動して第１格子１４の第２ホルダー部１４２のギア部分と係合し、第２格子１５を回転させることなく第１格子１４をＸ線照射軸周りに回転させることが可能となっている。
【００４７】
本実施形態においては、工場出荷時に、第２ホルダー部１４２の突起部１４２ａが回転トレイ２１２上に設けられたストッパー（凸状の突起）２１４に突き当たったときに第１格子１４と第２格子１５のスリット方向の相対角度が第１の撮影モード時（縞走査法用の撮影モード）に最適な相対角となるように、ストッパー２１４の位置及び第１格子１４と第２格子１５の相対角度が予め調整されて開口部２１２ａに装着されている。第２の撮影モード（フーリエ変換用の撮影モード）が設定されると、第１格子１４と第２格子の相対角度が第２の撮影モードに最適となるように制御部１８１により相対角調整部２１３のパルスモータを採用したモータ部２１３ａが駆動（通電制御）される。これにより、第２ギア２１３ｃを介して第１ギア２１３ｂが回転して第２ホルダー部１４２のギア部分に係合し、第１格子１４と第２格子１５のスリット方向の相対角度が第２の撮影モードに最適となるように第２ホルダー部１４２が回転される。その後、当該パルスモータへの通電状態を可変させ、後述するバネ力に打ち勝つモータ自己保持力（励磁力）を発揮させる程度の通電状態（駆動時の定格電流の５０％未満等）とすることで、第２ホルダー部１４２を当該位相に維持することができる。    
なお、このときの回転角度は１度程度と小さいため、まず、モータ部２１３ａのパルスモータにより、突起部１４２ａが基準位置２１５にくるまで反時計周りに第２ホルダー部１４２を回転させ、突起部１４２ａが基準位置２１５に来たことが図示しないセンサにより検知されたら、第２ホルダー部１４２の回転方向を時計回りに切り替えてマイクロステップ駆動より第２ホルダー部１４２を回転させることが好ましい。
第２ホルダー部１４２は図示しないバネに付勢されており、モータ部２１３ａの駆動により第１ギア２１３ｂと第２ホルダー部１４２との係合が解除されると、バネの付勢力により突起部１４２ａがストッパー２１４の位置に戻る。即ち、第１格子１４と第２格子１５が第１の撮影モードに最適な相対角度に戻る。
【００４８】
以上のようにして、第１格子１４と第２格子１５の相対角度が撮影モードに応じた角度に調整される。
格子回転部２１０は、また、相対角度が調整された第１格子１４及び第２格子１５を被写体に対してＸ線照射軸周り（図６に点線Ｒで示す）に一体的に回転させることができる。
ここで、１次元格子（スリット）を用いるタルボ干渉計及びタルボ・ロー干渉計では、第１格子１４及び第２格子１５のスリット方向と平行に線状に延びる構造物は鮮明に撮影することができないという特性がある。よって、被写体の注目すべき構造物の配置方向に応じて、第１格子１４及び第２格子１５のスリット方向の角度を調整する必要がある。格子回転部２１０は、以下の機構により第１格子１４及び第２格子１５をその相対角度を維持したまま一体的にＸ線照射軸周りに回転させ、被写体の注目すべき構造物の配置方向に対する第１格子１４及び第２格子１５のスリット方向の角度を調整することができる。
【００４９】
回転トレイ２１２には、上述のように、ハンドル２１１が設けられている。ハンドル２１１は、撮影技師等のオペレータがＸ線照射軸（図６に点線Ｒで示す）を軸として回転トレイ２１２を手動で回転させるための突起である。また、回転トレイ２１２は、回転トレイ２１２の回転角度を固定するための凹部２１２ｂ〜２１２ｅを有している。凹部２１２ｂ〜２１２ｅは、予め０°と定められた位置（ここでは凹部２１２ｂがトレイ固定部材１７１ｂのボールと対向する位置を０°の位置とする）から所定の回転角度にある位置（ここでは、０°、３０°、６０°、９０°）に設けられている。凹部２１２ｂ〜２１２ｅのそれぞれには、角度検知センサＳＥ１〜ＳＥ４が設けられており、トレイ固定部材１７１ｂと係合したことを検知して制御部１８１にその検知信号を出力する。
このように、回転トレイ２１２を手動で回転させるので、患者が触れる範囲に第１格子１４及び第２格子１５を一体的に回転させるための電気コード等を設ける必要がなく、安全性を確保することができる。
【００５０】
なお、本実施形態では、回転トレイ２１２が０°に設定されたときの第１格子１４及び第２格子１５の位置（角度）をホームポジションとする。また、第１格子１４及び第２格子１５がホームポジションであるときの第１格子１４のスリット方向とマルチスリット１２のスリット方向が平行である位置（角度）をマルチスリット１２のホームポジションとする。
【００５１】
図７Ａは、保持部１７における格子回転部２１０の保持部分１７１を拡大して示した平面図であり、図７Ｂは、図７ＡにおけるＥ−Ｅ´断面図である。図７Ｃは、保持部１７に格子回転部２１０を保持した状態を示す図である。
図７Ａ、図７Ｂに示すように、保持部分１７１には、格子回転部２１０の回転トレイ２１２と精密嵌合するサイズであり、回転トレイ２１２を回転可能に保持する開口部１７１ａと、回転トレイ２１２の回転角度を固定するためのトレイ固定部材１７１ｂと、が設けられている。開口部１７１ａの底部とＸ線検出器１６の載置部の間は、Ｘ線の透過を妨げないように、中空とするか又はＸ線透過率の高いアルミやカーボン等とすることが好ましい。トレイ固定部材１７１ｂは、凹部２１２ｂ〜２１２ｅの何れかがトレイ固定部材１７１ｂと対向するように位置したときにその対向する凹部に係合するボールと、ボールを図７Ａ、図７Ｂの矢印方向に誘導するための図示しないスライドガイド（押圧バネのガイド）により構成されている。凹部２１２ｂ〜２１２ｅの何れかがトレイ固定部材１７１ｂと対向する位置で回転トレイ２１２の回転が停止すると、トレイ固定部材１７１ｂのスライドガイドにより、対向している凹部にボールが係合するとともに、凹部に設けられた角度検知センサ（ＳＥ１〜ＳＥ４の何れか）によりボールの係合が検知されて制御部１８１に検知信号が出力される。これにより、制御部１８１は、回転トレイ２１２の回転角度、即ち、第１格子１４及び第２格子１５の回転角度を検知できるようになっている。
【００５２】
また、図７Ｄに示すように、回転トレイ２１２の開口部２１２ａの下部に、Ｘ線検出器１６の装着部２１２ｆを設け、第１格子１４及び第２格子１５とＸ線検出器１６とを一体として回転させることができるようにしてもよい。このようにすれば、Ｘ線検出器１６の縦横方向の鮮鋭性の異方性の影響を受けることがないので、再構成画像の縦横の鮮鋭性を第１格子１４及び第２格子１５の回転角度によらずに概ね一定とすることができる。
【００５３】
図１に戻り、Ｘ線検出器１６は、照射されたＸ線に応じて電気信号を生成する変換素子が２次元状に配置され、当該変換素子により生成された電気信号を画像信号として読み取る。Ｘ線検出器１６の画素サイズは１０〜３００（μｍ）であり、さらに好ましくは５０〜２００（μｍ）である。
【００５４】
Ｘ線検出器１６は第２格子１５に当接するように保持部１７に位置を固定することが好ましい。第２格子１５とＸ線検出器１６間の距離が大きくなるほど、Ｘ線検出器１６により得られるモアレ画像がボケるからである。
Ｘ線検出器１６としては、ＦＰＤ（Flat Panel Detector）を用いることができる。ＦＰＤにはＸ線をシンチレータを介して光電変換素子により電気信号に変換する間接変換型、Ｘ線を直接的に電気信号に変換する直接変換型があるが、何れを用いてもよい。
【００５５】
間接変換型は、ＣｓＩやＧｄ２Ｏ２等のシンチレータプレートの下に、光電変換素子がＴＦＴ（薄膜トランジスタ）とともに２次元状に配置されて各画素を構成する。Ｘ線検出器１６に入射したＸ線がシンチレータプレートに吸収されると、シンチレータプレートが発光する。この発光した光により、各光電変換素子に電荷が蓄積され、蓄積された電荷は画像信号として読み出される。
【００５６】
直接変換型は、アモルファスセレンの熱蒸着により、１００〜１０００（μm）の膜厚のアモルファスセレン膜がガラス上に形成され、２次元状に配置されたＴＦＴのアレイ上にアモルファスセレン膜と電極が蒸着される。アモルファスセレン膜がＸ線を吸収するとき、電子正孔対の形で物質内に電圧が遊離され、電極間の電圧信号がＴＦＴにより読み取られる。
なお、ＣＣＤ（Charge Coupled Device）、Ｘ線カメラ等の撮影手段をＸ線検出器１６として用いてもよい。
【００５７】
Ｘ線撮影時のＦＰＤによる一連の処理を説明する。
まずＦＰＤはリセットを行い、前回の撮影（読取）以降に残存する不要な電荷を取り除く。その後、Ｘ線の照射が開始するタイミングで電荷の蓄積が行われ、Ｘ線の照射が終了するタイミングで蓄積された電荷が画像信号として読み取られる。なお、リセットの直後や画像信号の読み取り後等に、オフセット補正用のダーク読み取りを行う。  
【００５８】
本体部１８は、図８に示すように、制御部１８１、操作部１８２、表示部１８３、通信部１８４、記憶部１８５を備えて構成されている。
制御部１８１は、ＣＰＵ（Central Processing Unit）やＲＡＭ（Random Access Memory）等から構成され、記憶部１８５に記憶されているプログラムとの協働により、Ｘ線撮影装置１の各部を制御するとともに各種処理を実行する。例えば、制御部１８１は、後述する撮影制御処理をはじめとする各種処理を実行する。
【００５９】
操作部１８２は曝射スイッチや撮影条件等の入力操作に用いるキー群の他、表示部１８３のディスプレイと一体に構成されたタッチパネルを備え、これらの操作に応じた操作信号を生成して制御部１８１に出力する。
表示部１８３は制御部１８１の表示制御に従って、ディスプレイに操作画面やＸ線撮影装置１の動作状況等を表示する。
【００６０】
通信部１８４は通信インターフェイスを備え、ネットワーク上のコントローラ５と通信する。例えば、通信部１８４はＸ線検出器１６によって読み取られ、記憶部１８５に記憶されたモアレ画像をコントローラ５に送信する。
記憶部１８５は、制御部１８１により実行されるプログラム、プログラムの実行に必要なデータを記憶している。また、記憶部１８５はＸ線検出器１６によって得られたモアレ画像を記憶する。
【００６１】
コントローラ５は、オペレータによる操作に従ってＸ線撮影装置１の撮影動作を制御する。また、コントローラ５は、Ｘ線撮影装置１により得られたモアレ画像を用いて診断用の再構成画像を作成する画像処理部として機能する。
【００６２】
コントローラ５は、図９に示すように、制御部５１、操作部５２、表示部５３、通信部５４、記憶部５５を備えて構成されている。
制御部５１は、ＣＰＵ（Central Processing Unit）やＲＡＭ（Random Access Memory）等から構成され、記憶部５５に記憶されているプログラムとの協働により、後述する縞走査法による再構成画像作成・表示処理、フーリエ変換法による再構成画像作成・表示処理をはじめとする各種処理を実行する。この縞走査法による再構成画像作成・表示処理、フーリエ変換法による再構成画像作成・表示処理を実行することにより、制御部５１は、Ｘ線撮影装置１において第１の撮影モード、又は第２の撮影モードによる撮影によって得られたモアレ画像に基づいて、Ｘ線吸収画像、微分位相画像、及び小角散乱画像のうち少なくとも２つを作成し、作成された画像の表示部５３への制御を行う。即ち、制御部５１は、画像処理部、制御部として機能する。
【００６３】
操作部５２は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部５１に出力する。表示部５３のディスプレイと一体に構成されたタッチパネルを備え、これらの操作に応じた操作信号を生成して制御部５１に出力する構成としてもよい。本実施形態において、操作部５２は、例えば、図１４のステップＳ２２や図１９のステップＳ４３において表示する画像の種類や画像の表示の切り替えタイミング等を部位毎やユーザ（医師）毎に設定することができる。
【００６４】
表示部５３は、例えば、ＣＲＴ（Cathode Ray Tube）やＬＣＤ（Liquid Crystal Display）等のモニタを備えて構成されており、制御部５１の表示制御に従って、操作画面、Ｘ線撮影装置１の動作状況、作成された再構成画像等を表示する。
【００６５】
通信部５４は、通信インターフェイスを備え、ネットワーク上のＸ線撮影装置１やＸ線検出器１６と有線又は無線により通信する。例えば、通信部５４は、Ｘ線撮影装置１に撮影条件や制御信号を送信したり、Ｘ線撮影装置１又はＸ線検出器１６からモアレ画像を受信したりする。
【００６６】
記憶部５５は、制御部５１により実行されるプログラム、プログラムの実行に必要なデータを記憶している。例えば、記憶部５５は、ＲＩＳ、ＨＩＳ等や図示しない予約装置より予約されたオーダを示す撮影オーダ情報を記憶している。撮影オーダ情報は、患者名、撮影部位、撮影モード等の情報である。
また、記憶部５５は、操作部５２により設定された設定情報、例えば、図１４のステップＳ２２や図１９のステップＳ４３において表示する画像の種類や画像の表示の切替タイミング等を部位情報やユーザＩＤに対応付けて記憶する。
また、記憶部５５は、Ｘ線検出器１６によって得られたモアレ画像、モアレ画像に基づき作成された診断用の再構成画像を撮影オーダ情報に対応付けて記憶する。
また、記憶部５５は、病変の典型的な症例を示す参照画像（詳細後述）を病変名及び画像の種類（縞走査法ｏｒフーリエ変換法、吸収画像ｏｒ微分位相画像ｏｒ小角散乱画像）等と対応付けて記憶する。
更に、記憶部５５は、Ｘ線検出器１６に対応するゲイン補正データ、欠陥画素マップ等を予め記憶する。
【００６７】
コントローラ５においては、操作部５２の操作により撮影オーダ情報の一覧表示が指示されると、制御部５１により、記憶部５５から撮影オーダ情報が読み出されて表示部５３に表示される。操作部５２により撮影オーダ情報が指定されると、指定された撮影オーダ情報に応じた撮影条件（撮影モードを含む）の設定情報やＸ線源１１のウォームアップの指示等が通信部５４によりＸ線撮影装置１に送信される。これにより、Ｘ線撮影装置１に撮影モードが設定される。即ち、コントローラ５は、撮影モードを設定する設定部として機能する。また、Ｘ線検出器１６がケーブルレスのカセッテ型ＦＰＤ装置である場合には、制御部５１は、内部バッテリ消耗防止の為のスリープ状態から、撮影可能状態に起動せしめる。
Ｘ線撮影装置１においては、通信部１８４によりコントローラ５から撮影条件の設定情報等が受信されると、Ｘ線撮影準備が実行される。  
【００６８】
上記Ｘ線撮影装置１のタルボ・ロー干渉計によるＸ線撮影方法（第１の撮影モードの撮影方法）を説明する。
図１０に示すように、Ｘ線源１１から照射されたＸ線が第１格子１４を透過すると、透過したＸ線がｚ方向に一定の間隔で像を結ぶ。この像を自己像といい、自己像が形成される現象をタルボ効果という。自己像を結ぶ位置に第２格子１５が平行に配置され、当該第２格子１５はその格子方向が第１格子１４の格子方向と平行な位置からわずかに傾けられているので、第２格子１５を透過したＸ線によりモアレ画像Ｍが得られる。Ｘ線源１１と第１格子１４間に被写体Ｈが存在すると、被写体ＨによってＸ線の位相がずれるため、図１０に示すようにモアレ画像Ｍ上の干渉縞は被写体Ｈの辺縁を境界に乱れる。この干渉縞の乱れを、モアレ画像Ｍを処理することによって検出し、被写体像を画像化することができる。これがタルボ干渉計及びタルボ・ロー干渉計の原理である。
【００６９】
Ｘ線撮影装置１では、Ｘ線源１１と第１格子１４との間のＸ線源１１に近い位置に、マルチスリット１２が配置され、タルボ・ロー干渉計によるＸ線撮影が行われる。タルボ干渉計はＸ線源１１が理想的な点線源であることを前提としているが、実際の撮影にはある程度焦点径が大きい焦点が用いられるため、マルチスリット１２によってあたかも点線源が複数連なってＸ線が照射されているかのように多光源化する。これがタルボ・ロー干渉計によるＸ線撮影法であり、焦点径がある程度大きい場合にも、タルボ干渉計と同様のタルボ効果を得ることができる。
【００７０】
従来のタルボ・ロー干渉計では、マルチスリット１２は上述のように多光源化と照射線量の増大を目的に用いられ、複数のモアレ画像を得るためには第１格子１４又は第２格子１５を相対移動させていた。しかし、本実施形態では、第１格子１４又は第２格子１５を相対移動させるのではなく、第１格子１４及び第２格子１５の位置は固定したまま、第１格子１４及び第２格子１５に対してマルチスリット１２を移動させることで一定周期間隔のモアレ画像を複数得る。
なお、第２の撮影モードによりモアレ画像を得る場合には、マルチスリット１２の移動は行わず、１回撮影又は被写体とスリット方向を９０度回転させて２回撮影を行う。
【００７１】
図１１は、Ｘ線撮影装置１の制御部１８１により実行される撮影制御処理を示すフローチャートである。撮影制御処理は、制御部１８１と記憶部１８５に記憶されているプログラムの協働により実行される。
【００７２】
まず、コントローラ５から受信された設定情報に基づいて、第１の撮影モード（縞走査法用）と第２の撮影モード（フーリエ変換法用）の何れの撮影モードが設定されているかが判断される（ステップＳ１）。第１の撮影モードが設定されていると判断されると（ステップＳ１；第１の撮影モード）、第１の撮影モード処理が実行される（ステップＳ２）。一方、第２の撮影モードが設定されていると判断されると（ステップＳ１；第２の撮影モード）、第２の撮影モード処理が実行される（ステップＳ３）。
【００７３】
図１２は、図１１のステップＳ２においてＸ線撮影装置１の制御部１８１により実行される第１の撮影モード処理を示すフローチャートである。第１の撮影モード処理は、制御部１８１と記憶部１８５に記憶されているプログラムの協働により実行される。
【００７４】
ここで、第１の撮影モードでのＸ線撮影には上述のタルボ・ロー干渉計によるＸ線撮影方法が用いられ、被写体像の再構成には縞走査法が用いられる。Ｘ線撮影装置１では、制御部１８１の制御により駆動部１２２が駆動及び停止されることによりマルチスリット１２が等間隔毎に複数ステップ移動され、ステップ毎に撮影が行われて、各ステップのモアレ画像が得られる。
【００７５】
ステップ数は２〜２０、さらに好ましくは３〜１０である。視認性の高い再構成画像を短時間で得るという観点からすれば、５ステップが好ましい（参照文献（１）K.Hibino, B.F.Oreb and D.I.Farrant, Phase shifting for nonsinusoidal wave forms with phase-shift errors, J.Opt.Soc.Am.A, Vol.12, 761-768(1995)、参照文献（２）A.Momose, W.Yashiro, Y. Takeda, Y.Suzuki and T.Hattori, Phase Tomography by X-ray Talbot Interferometetry for biological imaging, Jpn. J. Appl. Phys., Vol.45, 5254-5262(2006)）。
【００７６】
図１２に示すように、まず、制御部１８１により、Ｘ線源１１がウォームアップ状態に切り替えられる（ステップＳ１０１）。
次いで、格子回転部２１０の相対角調整部２１３が制御され、第１格子１４と第２格子１５の相対角度が第１の撮影モードに最適となるように（突起部１４２ａがストッパー２１４に接触する位置にくるように）第１格子１４が回転される。これにより、第１格子１４と第２格子１５の相対角度が調整される（ステップＳ１０２）。
【００７７】
次いで、オペレータの操作に応じて第１格子１４及び第２格子１５が一体的に回転され、被写体に対する第１格子１４及び第２格子１５のスリット方向が設定される（ステップＳ１０３）。即ち、撮影技師等のオペレータは、格子回転部２１０のハンドル２１１を回転させ、被写体台１３に載置された被写体の注目すべき構造物の配置方向に応じて第１格子１４及び第２格子１５のスリット方向を設定する。ハンドル２１１の回転が停止し、トレイ固定部材１７１ｂのバネ付勢されたボールの係合により位置固定されると、角度検知センサＳＥ１〜ＳＥ４の何れかから制御部１８１に検知信号が出力され、制御部１８１において、設定されたスリット方向に対応する、格子回転部２１０の回転トレイ２１２（即ち、第１格子１４及び第２格子１５）のホームポジションからの回転角度が取得される。
【００７８】
次いで、第１格子１４及び第２格子１５の回転角度に応じて、マルチスリット回転部１２１のモータ部１２１ａがパルスにより制御され、第１格子１４及び第２格子１５の回転角度に応じてマルチスリット１２が回転される（ステップＳ１０４）。例えば、モータ部１２１ａのパルスモータが制御され、マルチスリット１２のホームポジションからの回転角度が回転トレイ２１２回転角度近傍（例えば、回転トレイ２１２が３０°に設定された場合は２９°ぐらい）まで一気に回転される。
【００７９】
次いで、モータ部１２１ａがマイクロステップ精密制御に切り替えられ、マルチスリット１２を少しずつ回転させながら複数の回転角度で撮影が行われて調整用の複数のモアレ画像が生成される（ステップＳ１０５）。例えば、回転トレイ２１２が３０°に設定された場合は、マルチスリット１２を２９．５°、３０°、３０．５°の３つの回転角度に設定してＸ線源１１により低線量Ｘ線が照射され、撮影が行われる。これにより、調整用の３つのモアレ画像が取得される。なお、ステップＳ１０５においては、被写体を被写体台１３に載置しない状態で撮影が行われる。
【００８０】
撮影された調整用の複数のモアレ画像は、マルチスリット１２の回転角度に対応付けて、並べて表示部１８３に表示される（ステップＳ１０６）。
【００８１】
ここで、上述のように、第１格子１４と第２格子１５の相対角度は干渉縞本数が最小となるようにステップＳ１０２で調整されているので、ステップＳ１０３においては、回転トレイ２１２の回転によりその相対角度を保ったまま第１格子１４及び第２格子１５が回転される。しかし、第１格子１４及び第２格子１５を載置した回転トレイ２１２が回転し、マルチスリット１２と第１格子１４及び第２格子１５との相対角度が変化すると、干渉縞（すなわちモアレ）の鮮明性が変化してしまう。そこで、マルチスリット１２と第１格子１４及び第２格子１５、即ち、これらを載置した回転トレイ２１２との相対角度を調整する必要がある。
一般的には、マルチスリット１２と第１格子１４との相対角度が少ないほど、干渉縞の鮮明性の高いモアレ画像が得られる。しかし、マルチスリット１２は発熱部であるＸ線源１１近傍に配置されるので熱影響を受けやすい。そのため、マルチスリット１２の変形等を考慮して、マルチスリット１２を回転トレイ２１２と同じ角度だけ回転させるだけでなく、モータ部１２１ａをマイクロステップ駆動させてステップＳ１０５〜Ｓ１０８における微調整を行うことが有効である。
【００８２】
オペレータは、ステップＳ１０６で表示部１８３に表示されたモアレ画像を観察し、干渉縞が最も鮮明な回転角度を撮影に用いる回転角度として選択する。なお、ここでは、干渉縞の鮮明性はオペレータの目視により観察するが、干渉縞の鮮明性の度合いを示す鮮明度は、後述するサインカーブ（図１７参照）における極大値をＭＡＸ、極小値をＭＩＮとした場合、下記の式で表すことができる。この干渉縞の鮮明度を用いてオペレータではなく、プログラムで自動的に最大値となる回転角度を設定しても良い。
干渉縞の鮮明度＝（ＭＡＸ−ＭＩＮ）／（ＭＡＸ＋ＭＩＮ）＝振幅／平均値
【００８３】
操作部１８２により、マルチスリット１２の回転角度が入力されると（ステップＳ１０７；ＹＥＳ）、モータ部１２１ａが再駆動され、マルチスリット１２のホームポジションからの回転角度が入力された回転角度となるようにマルチスリット１２の位置が微調整される（ステップＳ１０８）。
【００８４】
マルチスリット１２の回転角度の調整後、被写体台１３に被写体が載置され、オペレータにより曝射スイッチがＯＮ操作されると（ステップＳ１０９；ＹＥＳ）、駆動部１２２によりマルチスリット１２がそのスリット配列方向に移動され、複数ステップの撮影が実行され、被写体有りの複数のモアレ画像が生成される（ステップＳ１１０）。
まず、マルチスリット１２が停止した状態でＸ線源１１によるＸ線の照射が開始される。Ｘ線検出器１６ではリセット後、Ｘ線照射のタイミングに合わせて電荷が蓄積され、Ｘ線の照射停止のタイミングに合わせて蓄積された電荷が画像信号として読み取られる。これが１ステップ分の撮影である。１ステップ分の撮影が終了するタイミングで、制御部１８１の制御により駆動部１２２が起動され、マルチスリット１２の移動が開始される。所定量移動すると駆動部１２２が停止されることによりマルチスリットの移動が停止され、次のステップの撮影が行われる。このようにして、マルチスリット１２の移動と停止が所定のステップ数分だけ繰り返され、マルチスリット１２が停止したときにＸ線の照射と画像信号の読み取りが行われる。読み取られた画像信号はモアレ画像として本体部１８に出力される。
【００８５】
例えば、マルチスリット１２のスリット周期を２２．８（μｍ）とし、５ステップの撮影を１０秒で行うとする。マルチスリット１２がそのスリット周期の１／５に該当する４．５６（μｍ）移動し停止する毎に撮影が行われる。
【００８６】
従来のように第２格子１５（又は第１格子１４）を移動させる場合、第２格子１５のスリット周期は比較的小さく、各ステップの移動量も小さくなるが、マルチスリット１２のスリット周期は第２格子１５よりも比較的大きく、各ステップの移動量も大きい。例えば、スリット周期５．３（μｍ）の第２格子１５のステップ毎の移動量は１．０６（μｍ）であるのに対し、スリット周期２２．８（μｍ）のマルチスリット１２の移動量は４．５６（μｍ）と約４倍の大きさである。同一の駆動伝達系（駆動源、減速伝達系を含む）を使用し、各ステップの撮影に際し、駆動部１２２の起動と停止を繰り返して撮影を行った場合、移動用のパルスモータ（駆動源）の制御量（駆動パルス数）に対応した実際の移動量に占める、起動時及び停止時の駆動部１２２のバックラッシュ等の影響による移動量誤差の割合は、本実施形態のようにマルチスリット１２を移動させる方式の方が小さくなる。これは、後述するサインカーブに沿ったモアレ画像を得やすく、起動及び停止を繰り返しても高精細な再構成画像が得られることを示している。或いは、従来方式による画像でも充分診断に適合する場合には、モータ（駆動源）を含む駆動伝達系全体の精度（特に、起動特性及び停止特性）を緩和し、駆動伝達系を構成する部品のコストダウンが可能であることを示している。
【００８７】
各ステップの撮影が終了すると、本体部１８の通信部１８４からコントローラ５に、各ステップのモアレ画像が送信される（ステップＳ１１１）。本体部１８からコントローラ５に対しては各ステップの撮影が終了する毎に１枚ずつ被写体有りのモアレ画像が送信される。
【００８８】
次いで、Ｘ線検出器１６においてダーク読み取りが行われ、被写体有り画像データ補正用のダーク画像（オフセット補正データ）が取得される（ステップＳ１１２）。ダーク読み取りは、少なくとも１回行われる。又は、複数回のダーク読み取りを行ってその平均値をダーク画像として取得してもよい。ダーク画像は、通信部１８４からコントローラ５に送信される（ステップＳ１１３）。当該ダーク読取に基づくオフセット補正データは、各モアレ画像信号の補正に共通に用いられる。
尚、ダーク画像の取得は、各ステップのモアレ画像取得後に、当該ステップのダーク読取を行って、各ステップ専用のオフセット補正データを生成することとしても良い。
【００８９】
次いで、オペレータによる曝射スイッチのＯＮ操作待ち状態となる（ステップＳ１１４）。ここで、オペレータは、被写体無しのモアレ画像を作成できるように、被写体台１３から被写体を取り除いて患者を退避させる。被写体無しの撮影の準備が完了したら、曝射スイッチを押下する。
【００９０】
曝射スイッチが押下されると（ステップＳ１１４；ＹＥＳ）、駆動部１２２によりマルチスリット１２がそのスリット配列方向に移動され、被写体無しで複数ステップの撮影が実行され、被写体無しの複数のモアレ画像が生成される（ステップＳ１１５）。各ステップの撮影が終了すると、本体部１８の通信部１８４からコントローラ５に、各ステップのモアレ画像が送信される（ステップＳ１１６）。本体部１８からコントローラ５に対しては各ステップの撮影が終了する毎に通信部１８４により１枚ずつ被写体無しのモアレ画像が送信される。
【００９１】
次いで、Ｘ線検出器１６においてダーク読み取りが行われ、被写体無しのダーク画像が取得される（ステップＳ１１７）。ダーク読み取りは、少なくとも１回行われる。又は、複数回のダーク読み取りを行ってその平均値をダーク画像として取得してもよい。ダーク画像は、通信部１８４からコントローラ５に送信され（ステップＳ１１８）、一つの撮影オーダに対する一連の撮影は終了する。
尚、ダーク画像の取得は、各ステップのモアレ画像取得後に、当該ステップのダーク読取を行って、各ステップ専用のオフセット補正データを生成することとしても良い。
なお、被写体無しの複数のモアレ画像及びダーク読取は被写体有りの撮影直後に実施されることが精度的に最も好ましいが、被写体画像の再構成までの時間短縮をはかるために、始業開始等に事前に取得しておいたデータを用いることとしても良い。
コントローラ５においては、通信部５４によりモアレ画像が受信されると、受信されたモアレ画像が撮影開始時に指定された撮影オーダ情報と対応付けて記憶部５５に記憶される。
【００９２】
図１３は、図１１のステップＳ３においてＸ線撮影装置１の制御部１８１により実行される第２の撮影モード処理を示すフローチャートである。第２の撮影モード処理は、制御部１８１と記憶部１８５に記憶されているプログラムの協働により実行される。
【００９３】
図１３に示すように、まず、制御部１８１により、Ｘ線源１１がウォームアップ状態に切り替えられる（ステップＳ２０１）。
次いで、格子回転部２１０の相対角調整部２１３が制御され、第１格子１４と第２格子１５の相対角度が第２の撮影モードに最適となるように（突起部１４２ａがホームポジションから所定角度回転した位置にくるように）調整される（ステップＳ２０２）。  
【００９４】
次いで、ステップＳ２０３〜ステップＳ２０８の処理が行われる。ステップＳ２０３〜Ｓ２０８の処理は、図１２のステップＳ１０３〜１０８で説明したものと同様であるので説明を援用する。
【００９５】
被写体台１３に被写体が載置され、オペレータにより曝射スイッチがＯＮ操作されると（ステップＳ２０９；ＹＥＳ）、撮影が実行され、被写体有りのモアレ画像が生成される（ステップＳ２１０）。即ち、Ｘ線源１１から放射線が照射され、Ｘ線検出器１６において読み取りが行われる。なお、第２の撮影モードでは、駆動部１２２は停止されたままの状態で、マルチスリット１２を移動させることなく、１枚のみの撮影が行われる。
撮影が終了すると、本体部１８の通信部１８４からコントローラ５に撮影により得られたモアレ画像が送信される（ステップＳ２１１）。
【００９６】
次いで、Ｘ線検出器１６においてダーク読み取りが行われ、被写体有り画像データ補正用のダーク画像（オフセット補正データ）が取得される（ステップＳ２１２）。ダーク読み取りは、少なくとも１回行われる。又は、複数回のダーク読み取りを行ってその平均値をダーク画像として取得してもよい。ダーク画像は、通信部１８４からコントローラ５に送信される（ステップＳ２１３）。当該ダーク読取に基づくオフセット補正データは、モアレ画像信号の補正に共通に用いられる。
【００９７】
次いで、オペレータによる曝射スイッチのＯＮ操作待ち状態となる（ステップＳ２１４）。ここで、オペレータは、被写体無しのモアレ画像を作成できるように、被写体台１３から被写体を取り除いて患者を退避させる。被写体無しの撮影の準備が完了したら、曝射スイッチを押下する。
【００９８】
曝射スイッチが押下されると（ステップＳ２１４；ＹＥＳ）、被写体無しで撮影が実行され、被写体無しのモアレ画像が生成される（ステップＳ２１５）。ステップＳ２１５においてもステップＳ２１０と同様に、駆動部１２２は停止されたままの状態で、マルチスリット１２を移動させることなく、１枚のみの撮影が行われる。
撮影が終了すると、本体部１８の通信部１８４からコントローラ５に、モアレ画像が送信される（ステップＳ２１６）。
【００９９】
次いで、Ｘ線検出器１６においてダーク読み取りが行われ、被写体無しのダーク画像が取得される（ステップＳ２１７）。ダーク読み取りは、少なくとも１回行われる。又は、複数回のダーク読み取りを行ってその平均値をダーク画像として取得してもよい。ダーク画像は、通信部１８４からコントローラ５に送信され（ステップＳ２１８）、一つの撮影オーダに対する一連の撮影は終了する。
なお、被写体無しの複数のモアレ画像及びダーク読取は被写体有りの撮影直後に実施されることが精度的に最も好ましいが、被写体画像の再構成までの時間短縮をはかるために、始業開始等に事前に取得しておいたデータを用いることとしても良い。
【０１００】
コントローラ５の制御部５１においては、通信部５４によりモアレ画像が受信されると、現在処理対象となっている撮影オーダ情報において設定されている撮影モードが第１の撮影モードである場合は縞走査法による再構成画像作成・表示処理が実行され、第２の撮影モードである場合はフーリエ変換法による再構成画像作成・表示処理が実行される。
【０１０１】
図１４は、制御部５１により実行される縞走査法による再構成画像作成・表示処理を示すフローチャートである。縞走査法による再構成画像作成・表示処理は、制御部５１と記憶部５５に記憶されているプログラムとの協働により実行される。
【０１０２】
まず、ステップＳ１１〜Ｓ１３においては、被写体有りの複数のモアレ画像及び被写体無しの複数のモアレ画像のそれぞれについて、Ｘ線検出器１６の各画素のバラツキを補正するための補正処理が実行される。具体的には、オフセット補正処理（ステップＳ１１）、ゲイン補正処理（ステップＳ１２）、欠陥画素補正処理（ステップＳ１３）が実行される。
【０１０３】
ステップＳ１１においては、被写体有り画像データ補正用のダーク画像に基づいて、被写体有りの各モアレ画像にオフセット補正が施される。被写体無し画像データ補正用のダーク画像に基づいて、被写体無しの各モアレ画像にオフセット処理が施される。ステップＳ１２においては、撮影に用いられたＸ線検出器１６に対応するゲイン補正データが記憶部５５から読み出され、読み出されたゲイン補正データに基づいて、各モアレ画像にゲイン補正が施される。
ステップＳ１３においては、撮影に用いられたＸ線検出器１６に対応する欠陥画素マップ（欠陥画素位置を示すデータ）が記憶部５５から読み出され、各モアレ画像における欠陥画素位置マップで示す位置の画素値（信号値）が周辺画素により補間算出される。
【０１０４】
次いで、複数のモアレ画像間でＸ線強度変動補正（トレンド補正）が行われる（ステップＳ１４）。縞走査法では、複数のモアレ画像に基づいて１枚の再構成画像が作成される。そのため、各モアレ画像の撮影において照射されるＸ線強度にゆらぎ（変動）があると精巧な再構成画像が得られず、微細な信号の変化が見落とされてしまう可能性がある。そこで、ステップＳ１４においては、複数のモアレ画像における撮影時のＸ線強度変動による信号値差を補正する処理が行われる。
具体的な処理としては、各モアレ画像の予め定められた１点の画素の信号値を用いて補正する方法、各モアレ画像間におけるＸ線検出器１６の所定方向の信号値差を補正する（一次元補正する）方法、各モアレ画像間における２次元方向の信号値差を補正する（二次元補正する）方法、の何れであってもよい。
【０１０５】
１点の画素の信号値を用いて補正する方法では、まず、図１５に示すように複数のモアレ画像のそれぞれについて、Ｘ線検出器１６のモアレ画像領域（被写体配置領域）１６１外の直接Ｘ線領域に対応する予め定められた位置Ｐにある画素の信号値が取得される。次いで、１枚目のモアレ画像（例えば、被写体有りの最初に撮影されたモアレ画像）が２枚目以降の上記取得された位置Ｐの画素の平均信号値で規格化され、規格化後の位置Ｐの値に基づいて２枚目以降の各モアレ画像の補正係数が算出される。そして、２枚目以降の各モアレ画像に補正係数が乗算されることにより、Ｘ線強度変動が補正される。この補正方法では、各撮影間の全体的なＸ線強度の変動を容易に補正することができる。なお、Ｘ線検出器１６の裏側に、Ｘ線照射量を検知するセンサ等の検知手段を設け、検知手段から出力される各モアレ画像撮影時のＸ線照射量に基づいて、各モアレ画像間における撮影時のＸ線強度変動に起因する信号値差を補正することとしてもよい。
【０１０６】
一次元補正では、まず、複数のモアレ画像のそれぞれについて、予め定められた行Ｌ１（行は、Ｘ線検出器１６における読み取りライン方向をさす）の画素の平均信号値が算出される。次いで、１枚目のモアレ画像が２枚目以降の画素の平均信号値で規格化され、規格化後の行Ｌ１と２枚目以降の行Ｌ１の各画素の信号値に基づいて、２枚目以降の各モアレ画像の行方向の補正係数が算出される。そして、２枚目以降の各モアレ画像に行方向の位置に応じた補正係数が乗算されることにより、行方向のＸ線強度変動が補正される。この補正方法では、各撮影間の一次元方向のＸ線強度の変動を容易に補正することができる。例えば、或る撮影において、Ｘ線源１１による照射タイミングとＸ線検出器１６の読み取りタイミングのずれが生じた場合に、これにより生じるＸ線検出器１６の読み取りライン方向のＸ線強度変動等を補正することができる。
【０１０７】
二次元補正では、まず、複数のモアレ画像のそれぞれについて、予め定められた行Ｌ１、列Ｌ２（列は、Ｘ線検出器１６における読み取りライン方向と直交する方向をさす）のそれぞれにおける画素の平均信号値が算出される。次いで、１枚目のモアレ画像が２枚目以降の行Ｌ１の画素の平均信号値で規格化され、規格化後の行Ｌ１と２枚目以降の行Ｌ１の各画素の信号値に基づいて、２枚目以降の各モアレ画像の行方向の補正係数が算出される。同様に、１枚目のモアレ画像が２枚目以降の列Ｌ２の画素の平均信号値で規格化され、規格化後の列Ｌ２と２枚目以降の列Ｌ２の各画素の信号値に基づいて、２枚目以降の各モアレ画像の列方向の補正係数が算出される。そして行方向と列方向の補正係数が掛け合わされて２枚目以降の各モアレ画像の各画素の補正係数が算出される。そして、各画素に行方向及び列方向の補正係数が乗算されることにより、二次元方向のＸ線強度変動が補正される。この補正方法では、各撮影間の二次元方向のＸ線強度の変動を容易に補正することができる。
【０１０８】
次いで、モアレ画像の解析が行われ（ステップＳ１５）、再構成画像の作成に使用できるか否かが判断される（ステップＳ１６）。理想的な送り精度によりマルチスリット１２を一定の送り量で移動できた場合、図１６に示すように、５ステップの撮影でマルチスリット１２のスリット周期１周期分のモアレ画像５枚が得られる。各ステップのモアレ画像は０．２周期という一定周期間隔毎に縞走査をした結果であるので、各モアレ画像の任意の１画素に注目すると、その信号値を正規化して得られるＸ線相対強度は、図１７に示すようにサインカーブを描く。よって、コントローラ５は得られた各ステップのモアレ画像のある画素に注目してＸ線相対強度を求める。各モアレ画像から求められたＸ線相対強度が、図１７に示すようなサインカーブを形成すれば、一定周期間隔のモアレ画像が得られているので、再構成画像の作成に使用できると判断することができる。
なお、上記サインカーブ形状は、マルチスリット１２の開口幅、第１格子１４及び第２格子１５の周期、及び第１格子及び第２格子の格子間距離に依存し、また、放射光のようなコヒーレント光の場合には三角波形状となるが、マルチスリット効果によりＸ線が準コヒーレント光として作用する為、サインカーブを描くものとなる。ステップＳ１５の解析は、被写体有りのモアレ画像と被写体無しのモアレ画像についてそれぞれ行われる。
【０１０９】
各ステップのモアレ画像の中にサインカーブを形成できないモアレ画像がある場合、再構成画像の作成に使用できないと判断され（ステップＳ１６；ＮＯ）、撮影のタイミングを変更して再撮影するよう指示する制御情報がコントローラ５からＸ線撮影装置１に送信される（ステップＳ１７）。例えば、図１７に示すように、３ステップ目は本来０．４周期のところ、周期がずれて０．３５周期のモアレ画像が得られた場合であれば、駆動部１２２の送り精度の低下が原因（例えば、パルスモータの駆動パルスへのノイズ重畳等）と考えられる。よって、０．０５周期分だけ撮影のタイミングを早めて３ステップ目のみ再撮影を行うよう指示すればよい。或いは、５ステップ全てについて再撮影し、３ステップ目のみ０．０５周期分の撮影時間を早めるように指示してもよい。５ステップ全てのモアレ画像が所定量ずつサインカーブからずれている場合、駆動部１２２の起動から停止までの駆動パルス数を増やすか、或いは減らすように指示してもよい。
Ｘ線撮影装置１では、当該制御情報に従って撮影のタイミングが調整され、再撮影が実行される。
【０１１０】
一方、再構成画像の作成にモアレ画像を使用できると判断された場合（ステップＳ１６；ＹＥＳ）、被写体有りと被写体無しのそれぞれの複数のモアレ画像を用いて、被写体有りの再構成画像と被写体無しの再構成画像の作成が行われる（ステップＳ１８〜ステップＳ２０）。
具体的には、複数のモアレ画像の干渉縞を加算することにより吸収画像（Ｘ線吸収画像）が作成される（ステップＳ１８）。また、縞走査法の原理を用いて干渉縞の位相が計算され、微分位相画像が作成される（ステップＳ１９）。また、縞走査法の原理を用いて干渉縞のVisibilityが計算され（Visibility＝２×振幅÷平均値）、小角散乱画像が作成される（ステップＳ２０）。
【０１１１】
次いで、被写体無しの再構成画像を用いて、被写体有りの再構成画像から、干渉縞の位相の除去と、画像ムラ（アーチファクト）を除去するための補正処理が行われる（ステップＳ２１）。ステップＳ２１の処理には、撮影時のマルチスリット１２や第１格子１４及び第２格子１５のスリット方向変更に起因するＸ線の線量分布のムラ、当該スリットの製造バラつき起因の線量分布のムラ、及び、主に被写体ホルダー１３０の画像への写り込みによるムラ、を含む画像ムラ（アーチファクト）を除去するための処理が含まれる。
例えば、被写体有りの再構成画像が微分位相画像である場合には、被写体有りの微分位相画像の各画素の信号値から被写体無しの微分位相画像の対応する（同じ位置の画素）の信号値を減算する処理が行われる（公知文献(Ａ)；Timm Weitkamp，Ana Diazand，Christian David,  franz Pfeiffer and Marco Stampanoni,  Peter Cloetens and Eric Ziegler, X-ray Phase Imaging with a grating interferometer,OPTICSEXPRESS，Vol.13, No.16,6296-6004(2005)、公知文献（Ｂ）；Atsushi Momose, Wataru Yashiro, Yoshihiro Takeda, Yoshio Suzuki and Tadashi Hattori, Phase Tomography by X-ray Talbot Interferometry for Biological Imaging, Japanese Journal of Applied Physics, Vol.45, No.6A, 2006, pp.5254-5262（2006）参照)。
被写体有りの再構成画像が吸収画像、小角散乱画像である場合には、公知文献（Ｃ）に記載されているように、被写体有りの再構成画像の各画素の信号値を被写体無しの再構成画像の対応する画素の信号値で除算する割り算処理が行われる（公知文献（Ｃ）;F.Pfeiffer, M.Bech，O.Bunk,  P.Kraft,  E.F.Eikenberry,  CH.Broennimann，C.Grunzweig,  and  C．David，Hard-X-ray dark-field imaging using a grating interferometer, nature materials Vol.7，134-137（2008））。  
【０１１２】
上記処理では、マルチスリット１２、第１格子１４及び第２格子１５の各格子のスリット方向変更や被写体台特性に起因するＸ線の線量分布のムラだけでなく、撮影に用いられるＸ線検出器１６の個々の画素の特性にバラツキがあっても、この影響を除去することができるので好ましい。従い、スリット方向を被写体に応じて可変としても、被写体に対するＸ線検出器１６の配置方向を固定（位置変更せず）とすることができ、コントローラ５に表示される再構成画像における被写体の表示向きは、コントローラ表示画面上で常に同一方向となるので、経過観察等で過去画像との比較読影を行う場合に、コントローラ５において再構成画像の向きを揃える操作を行う必要がなくなるので、より好ましい。
【０１１３】
図１８Ａ〜図１８Ｃに、さくらんぼを被写体として撮影したモアレ画像に基づいて、縞走査法により作成された再構成画像の一例を示す。図１８Ａは吸収画像、図１８Ｂは微分位相画像、図１８Ｃは小角散乱画像である。
図１８Ａに示すように、吸収画像は、被写体の大きな構造の変化を表すという特徴がある。図１８Ｂに示すように、微分位相画像は、被写体の組織辺縁の位相変化を表すという特徴がある。図１８Ｃに示すように、小角散乱画像は、被写体の組織内の散乱を表すという特徴がある。
【０１１４】
ステップ２１の処理が終了すると、作成された再構成画像が表示部５３に表示される（ステップＳ２２）。ステップＳ２２における再構成画像の表示態様については後述する。
【０１１５】
次に、フーリエ変換法による再構成画像の作成及び表示について説明する。
図１９は、制御部５１により実行されるフーリエ変換法による再構成画像作成・表示処理を示すフローチャートである。フーリエ変換法による再構成画像作成・表示処理は、制御部５１と記憶部５５に記憶されているプログラムとの協働により実行される。
【０１１６】
まず、ステップＳ３１〜Ｓ３３においては、被写体有りの複数のモアレ画像及び被写体無しの複数のモアレ画像のそれぞれについて、Ｘ線検出器１６の各画素のバラツキを補正するための補正処理が実行される。具体的には、オフセット補正処理（ステップＳ３１）、ゲイン補正処理（ステップＳ３２）、欠陥画素補正処理（ステップＳ３３）が実行される。各処理の内容は、図１４のステップＳ１１〜Ｓ１３で説明したものと同様であるので説明を援用する。
【０１１７】
次いで、被写体有りのモアレ画像と被写体無しのモアレ画像間のＸ線強度変動補正（トレンド補正）が行われる（ステップＳ３４）。Ｘ線強度変動補正の具体的な処理内容は、図１４のステップＳ１４で説明したものと同様であるので説明を援用する。
【０１１８】
次いで、ステップＳ３５以降の処理において、フーリエ変換法による被写体の再構成画像の作成が行われる。フーリエ変換法による再構成画像の作成については、公知の手法により行うことができる（非特許文献１参照）
【０１１９】
まず、補正後の被写体有りのモアレ画像と被写体無しのモアレ画像のそれぞれがフーリエ変換（二次元フーリエ変換）される（ステップＳ３５）。図２０Ａに、第２の撮影モードで撮影された被写体有りのモアレ画像の一例を示す。図２０ＡにおけるＨ１はマジックペンであり、Ｈ２はＵＳＢメモリである。図２０Ｂに、図２０Ａのモアレ画像を二次元フーリエ変換した結果を示す。図２１Ａに、第２の撮影モードで撮影された被写体無しのモアレ画像の一例を示す。図２１Ｂに、図２１Ａのモアレ画像を二次元フーリエ変換した結果を示す。フーリエ変換後の計算結果は複素数であるため、図２０Ｂ、図２１Ｂでは実部と虚部のｎｏｒｍ（振幅）を表示している。
図２０Ｂ、図２１Ｂに示すように、１枚のモアレ画像をフーリエ変換すると、低周波成分（０次成分と呼ぶ）と干渉縞周波数付近の成分（１次成分と呼ぶ）、又は、０次成分と１次成分に加えさらに高周波成分（Ｘ線撮影装置１の干渉性に依存）が並んで得られる。０次成分と１次成分の並ぶ方向はモアレ画像の縞の方向に関係しており、モアレ画像の縞の方向に対して略直角になる。
【０１２０】
ここで、マルチスリット１２、第１格子１４、第２格子１５の格子の向き（スリット方向）と干渉縞及び０次成分、１次成分の並ぶ向きとの関係について説明する。
例えば、図２２のＡ１に示すように、マルチスリット１２、第１格子１４、第２格子１５の格子の向きが縦であった場合、縞走査法用のモアレ画像（第１格子１４に対して第２格子をわずかに傾けて得られた画像）の縞は、図２２のＡ２に示すように横となる。フーリエ変換用のモアレ画像（第２格子を更に傾けて得られた画像）の縞は、図２２のＡ３に示すように、図２２のＡ２に比べて細かな横縞となる。フーリエ変換用のモアレ画像をフーリエ変換した画像は、図２２のＡ４に示すように、０次成分、１次成分が縦に並んだ画像となる。
図２３のＢ１に示すように、マルチスリット１２、第１格子１４、第２格子１５の格子の向きが横であった場合、縞走査法用のモアレ画像（第１格子１４に対して第２格子をわずかに傾けて得られた画像）の縞は、図２３のＢ２に示すように縦となる。フーリエ変換用のモアレ画像（第２格子を更に傾けて得られた画像）の縞は、図２３のＢ３に示すように、図２３のＢ２に比べて細かな縦縞となる。フーリエ変換用のモアレ画像をフーリエ変換した画像は、図２３のＢ４に示すように、０次成分、１次成分が横に並んだ画像となる。
図２４のＣ１に示すように、マルチスリット１２、第１格子１４、第２格子１５の向きが斜め４５°であった場合、縞走査法用のモアレ画像（第１格子１４に対してわずかに第２格子を少し傾けて得られた画像）の縞は、図２４のＣ２に示すように斜め４５°（スリット方向とは逆方向の斜め）となる。フーリエ変換用のモアレ画像（第２格子を更に傾けて得られた画像）の縞は、図２４のＣ３に示すように、図２４のＣ２と同方向の、より細かな斜め縞となる。フーリエ変換用のモアレ画像をフーリエ変換した画像は、図２４のＣ４に示すように、０次成分、１次成分が縞方向とは逆の斜め４５°に並んだ画像となる。
【０１２１】
次いで、フーリエ変換により得られた画像（被写体有り、被写体無しのそれぞれ）において、０次成分が図２５に示すＨａｎｎｉｎｇ窓Ｗにより切り出される（ステップＳ３６）。Ｈａｎｎｉｎｇ窓Ｗで切り出すことによりＨａｎｎｉｎｇ窓Ｗの周辺部が０に落とされ、Ｈａｎｎｉｎｇ窓Ｗの中心部はそのまま通される。
次いで、フーリエ変換により得られた画像において、１次成分が図２６に示すようにキャリア周波数（＝モアレ周波数）分シフトされ、Ｈａｎｎｉｎｇ窓Ｗで切り出される（ステップＳ３７）。切り出しの窓関数はＨａｎｎｉｎｇ窓に限定されず、用途に応じてＨａｍｍｉｎｇ窓、ガウス窓等を使用しても良い。
次いで、切り出された０次成分、１次成分のそれぞれが逆フーリエ変換される（ステップＳ３８）。
【０１２２】
逆フーリエ変換が終了すると、逆フーリエ変換された０次成分、１次成分を用いて被写体有りと被写体無しのそれぞれの再構成画像の作成が行われる（ステップＳ３９〜ステップＳ４１）。具体的には、０次成分の振幅から吸収画像が作成される（ステップＳ３９）。また、１次成分の位相から微分位相画像が作成される（ステップＳ４０）。また、０次成分と１次成分の振幅の比（＝Visibility）から小角散乱画像が作成される（ステップＳ４１）。
【０１２３】
次いで、被写体無しの再構成画像を用いて被写体有りの再構成画像から干渉縞の位相の除去と、画像ムラ（アーチファクト）を除去するための補正処理が行われる（ステップＳ４２）。ステップＳ４２の処理は、図１４のステップＳ２１で説明したものと同様であるので説明を援用する。
【０１２４】
なお、上述の従来のフーリエ変換法では、０次成分、１次成分を切り出す際に、縦、横ともに高周波成分を捨てるため、空間分解能が落ちて全体的にぼけた画像となる。ここで、本願発明者らは、Ｘ線格子に一次元格子を用いる場合は、タルボ干渉計及びタルボ・ロー干渉計の微分位相画像及び小角散乱画像の情報が格子（マルチスリット１２、第１格子１４、第２格子１５）のスリット方向と直交する一方向のみであることに着目し、ステップＳ３６、Ｓ３７で用いる窓ｗを従来型の正方形ではなく、図２７に示すように格子のスリット方向と直交する方向に延びる長方形とすれば、画像情報を含む格子のスリット方向と直交する方向の信号の高周波成分を落とさないように取り出すことができ、格子のスリット方向と直交する方向のぼけを低減することができることを見出した（改良型フーリエ変換法と呼ぶ）。本発明は、原理的に空間分解能の低下が避けられない格子のスリット方向と平行な方向は元々画像情報を含まないことを利用していることが特徴であり、後述する二回撮影時には、二次元格子を用いたフーリエ変換法の撮影に対して大きなアドバンテージが得られる。（図２７は、図２２のＡ４に長方形の窓Ｗを設定した例を示したものである。）
【０１２５】
図２８Ａに、縞走査法により得られた被写体の再構成画像の一例を示す。図２８Ｂに、改良型フーリエ変換法により得られた再構成画像の一例を示す。図２８Ｃに、従来のフーリエ変換法により得られた再構成画像の一例を示す。図２８Ａ〜図２８Ｃの再構成画像は、格子のスリット方向を縦にして撮影して得られた微分位相画像である。図２８Ａに示すように、縞走査法により得られた画像は、縦方向、横方向ともぼけが小さい。図２８Ｂに示すように、改良型フーリエ変換法により得られた画像は、縦方向のみぼけており、横方向にはぼけていない。図２８Ｃに示すように、従来のフーリエ変換法により得られた画像では、縦方向、横方向ともぼけている。
なお、図２８Ａ〜図２８Ｃにおいては、微分位相画像を示しているが、吸収画像、小角散乱画像においても各手法によるぼけの方向は同様である。
【０１２６】
このように、改良型フーリエ変換法では格子のスリット方向と平行な方向の信号成分のみがぼけるので、被写体の長手方向が格子のスリット方向と直交する方向となるように配置して１回目の撮影を行った後、被写体と格子との相対角度を９０°回転させて２回目の撮影を行い、１回目と２回目の撮影で得られたそれぞれのモアレ画像から、それぞれ再構成画像を生成し、生成された２つの再構成画像を合成すれば、被写体の縦方向、横方向ともぼけの少ない２次元的な画像を取得することができる（微分位相画像、小角散乱画像の場合）。
２次元格子を用いてフーリエ変換方式で撮影することも可能だが、縦横ともに１次成分が存在するため、切り出す窓ｗは縦横ともに狭い範囲に限定される。そのため空間分解能が大きく低下することを避けられない。一方、本方式によれば、１次元格子を使用して、分解能を大きく低下させずに２次元画像を生成することが可能となる。なお、２方向の撮影に基づく合成画像においては、合成画像の四隅部の被写体情報が欠損するが、医用現場の放射線撮影に於いては、一般的に被写体の関心領域を撮影領域の中央部に位置させることが多いので、上記の被写体情報欠損も問題なることが少ない。また、撮影自体も２回で済むため、被写体の体動影響も抑制可能である。
なお、撮影方向の変更（被写体に対するスリット方向の変更）する際には、縞走査法方式と同様に、マルチスリット１２、第１格子１４及び第２格子１５を同時に９０°回転させる必要がある。
【０１２７】
第１格子１４と第２格子１５の相対角度を９０°変化させて１回目と２回目の撮影を行った場合、コントローラ５の制御部５１は、１回目の撮影画像と２回目の撮影画像のそれぞれについて図１９に示すフーリエ変換法による再構成画像作成・表示処理を実行した後、２つの画像の合成を行う。なお、１回目の画像と２回目の画像とで被写体の同じ部分が同じ画素に描画されていない場合（被写体の変形や移動があった場合）は、何れか一方の画像を並行又は回転移動させて両画像の誤差が最も小さくなる位置に位置あわせを行った後、合成を行う。合成方法としては、様々な手法を用いることができる。例えば、１回目の撮影画像の画素をｆ１（ｘ、ｙ）、２回目の撮影画像の画素をｆ２（ｘ、ｙ）、合成画像の画素をｇ（ｘ、ｙ）とし、各画素で以下の計算をして（二乗和の平方根をとって）パワーの平均値をとる。
ｇ（ｘ、ｙ）＝√（ｆ１（ｘ、ｙ）＾２+ｆ２（ｘ、ｙ）＾２）
また、例えば、１回目の撮影画像を赤、２回目の撮影画像を青にする等、カラー表示することとしてもよい。
【０１２８】
ところで、図２８Ａ〜図２８Ｃの画像からもわかるように、縞走査法で得られる再構成画像のほうがフーリエ変換法で得られる再構成画像よりも鮮明でぼけが少ない。しかし、縞走査法用の撮影では連続して複数枚の撮影を行うため、撮影時間が検出器の取込時間やX線曝射前後の処理時間、機構動作時間等に応じて長くなり（約１分）、体動が生じやすい。これに対してフーリエ変換法では１回の撮影で１枚の撮影となるので、撮影時間はX線の曝射時間だけに依存し、５秒程度に抑えることができるため、体動抑制効果を期待できる。更に、改良型フーリエ変換法では、空間分解能の劣化小さく抑えられる。よって、例えば、（１）被写体の固定が可能なものは縞走査法、体動を抑制したい場合はフーリエ変換法とする、（２）簡易検査ではフーリエ変換法、より精密な検査となった場合には縞走査法とする、等、両者を併用することにより、目的に応じた画像の取得、及び、より患者の負担や再撮影の少ない撮影を行うことが可能となる。本実施形態においては、第１格子１４及び第２格子１５の相対角度を簡単に調整して縞走査法用の撮影とフーリエ変換法用の撮影を切り替えることができるので、撮影の目的に応じた最適な撮影を行うことが可能となる。
【０１２９】
図１９に戻り、作成された再構成画像は、表示部５３に表示される（ステップＳ４３）。
以下、図１４のステップＳ２２及び図１９のステップＳ４３における再構成画像の表示態様について説明する。
【０１３０】
図２９に、図１４のステップＳ２２及び図１９のステップＳ４３において表示部５３に再構成画像を表示する際の表示態様の一例を示す。図２９に示すように、ステップＳ２２、ステップＳ４３においては、吸収画像、微分位相画像、小角散乱画像の３つの再構成画像が表示部５３の同一位置（領域Ｒ０）に所定時間毎に順次切り替えて循環表示される。なお、表示部５３の画像領域外の画面上に、停止ボタンや一時停止ボタンを設け、操作部５２の操作に応じて何れかの画像を静止状態で表示し続けることができるようにすることが好ましい。
【０１３１】
吸収画像、微分位相画像、小角散乱画像の３つの再構成画像は、一回の撮影セットによって得られた撮影画像（モアレ画像）から異なる処理によって作成されたものであるため、図１８Ａ〜図１８Ｃに示すように、３つの画像における被写体の位置は同一であり、それぞれ被写体の異なる特徴の情報を表している。例えば、吸収画像には、大きな構造の変化の情報が表れる。微分位相画像には、組織辺縁の位相変化の情報が表れる。小角散乱画像には、組織内の散乱の情報が表れる。
よって、図２９に示すように、３つの再構成画像を表示部５３の同一位置（領域Ｒ０）に所定時間毎に順次切り替えて表示すれば、読影を行う医師は、視線の移動が不要で疲れを誘発しないので高い集中度合いを維持して読影を行うことができる。また所定時間毎に画像を切り替えた際の残像効果（所謂サブリミナル効果）により、被写体に関する複数の情報（特徴）を自身の頭の中で再構築可能となり、高い精度の診断を行うことが可能となる。
【０１３２】
図２９においては、吸収画像→微分位相画像→小角散乱画像の３つの再構成画像をこの順に順次切り替えて循環表示させることとしているが、表示される画像数は２種以上であればよい。切替表示する順番や画像の種類は、特に限定されるものではなく、部位毎、ユーザ毎に設定することができる。
【０１３３】
例えば、被写体部位が乳房である場合、切替表示する際の順番としては、吸収画像→小角散乱画像→微分位相画像とすると、医師が余分な時間をかけずに効率よく診断ができるので好ましい。
上述のように、吸収画像には、大きな構造の変化の情報が表れる。よって、吸収画像を最初に表示することで、医師は、乳房全体における脂肪や乳腺の分布や大きな病変を把握することができる。次いで、小角散乱画像を表示することで、石灰化と、石灰化を伴わない癌組織の集積部を感度高く検出し、乳癌の有無を判別することができる。次いで、微分位相画像を表示することで、腫瘤や乳癌組織と正常組織の辺縁部を検出し、乳癌の拡がり範囲を識別することができる。
なお、吸収画像に次いで、まず微分位相画像を表示することで、腫瘤や乳癌組織と正常組織の辺縁部を検出し、乳癌の拡がり範囲を識別し、然る後、小角散乱画像を表示することで、石灰化と、石灰化を伴わない癌組織の集積部を検出することとしても良く、どちらの表示順にするかは、最終的に医師の異常陰影検出能が高くなるように医師毎に定めることとしても良い。
また、吸収画像は、従来から診断用の乳房画像として用いられており、医師が最も診断に慣れた（見慣れた）画像であるため、各医師が長年の診断で培ってきた診断分解能に基づく1次診断を行うのに好ましい。吸収画像の表示後、小角散乱画像、微分位相画像を表示し、これらの画像に基づく再読影を行うことで、異常陰影の有無自体や異常陰影の良性／悪性等の１次診断の結果を自己修正可能となる。また、小角散乱画像、微分位相画像、の読影後に、再度、吸収画像の読影を行うと、最初は見えなかった異常陰影や、良性／悪性の差異等が、やがて、視認できるようになり、この診断方法を繰り返すことで、医師は、やがて、新たなステップアップした診断分解能を確立することになり、吸収画像のみに基づく診断であっても、従前よりも高精度の診断を行うことができるようになり、好ましい。
【０１３４】
一方、例えば、被写体部位が手足である場合には、吸収画像→微分位相画像の順に切替表示することが好ましい。まず吸収画像を表示することで、医師は、軟骨や腱のある場所の見当をつけることができ、次いで微分位相画像を表示することで、軟骨の摩耗や腱の断裂などの有無を判別することが可能となる。
【０１３５】
（第２の実施形態）
以下、本発明の第２の実施形態について説明する。
画像診断を支援するために、従来より、医用画像から異常陰影候補検出装置（ＣＡＤ：Computer-Aided Diagnosis）による異常陰影候補の検出を行い、診断用の医用画像とともにその検出結果を表示することが行なわれている。従来、診断用の医用画像としては、上述のように吸収画像が用いられており、ＣＡＤによる異常陰影候補の検出についても、従来、吸収画像に対してのみ行われている。
そこで、第２の実施形態においては、従来の吸収画像ベースの診断体系と同様に、再構成画像のうち、まず吸収画像に対して読影及びＣＡＤで異常陰影候補の検出を行い、異常陰影候補として検出された領域等の真陽性／偽陽性を判別する２次診断において小角散乱画像や微分位相画像を用いる例について説明する。
【０１３６】
第２の実施形態における医用画像表示システムにおけるＸ線撮影装置１及びコントローラ５の構成、撮影〜再構成画像の作成までの動作は、第１の実施形態において説明したものと同様であるので説明を援用する。
【０１３７】
コントローラ５において、再構成画像の作成が終了すると、制御部５１と記憶部５５に記憶されているプログラムとの協働により、以下の処理が実行される。
まず、図３０のＡに示すように、表示部５３に、再構成画像のうち吸収画像が表示される。医師は、この表示された吸収画像を観察して読影を行う。なお、図３０のＡにおいては、画像の描画を省略しているが、乳房画像が描画されているものとする。
【０１３８】
次いで、操作部５２からの指示に応じて、吸収画像に対して異常陰影候補検出処理が実行され、吸収画像から異常陰影候補の検出が行われる。ここで、第２の実施形態において、コントローラ５の記憶部５５には異常陰影候補検出プログラムが記憶されており、コントローラ５の制御部５１と記憶部５５に記憶されている異常陰影候補検出プログラムとの協働により、吸収画像に対して異常陰影候補検出処理が実行される。
【０１３９】
異常陰影候補の検出アルゴリズムとしては、公知のものを適用可能である。例えば、乳房画像における腫瘤陰影候補のアルゴリズムとしては、特開平１０−９１７５８号公報に開示されているアイリスフィルタを用いた手法や、ラプラシアンフィルタを用いた手法（電気情報通信学会論文誌(D-II),Vol.J76-D-II,no.2,pp.241-249,1993）等が適用可能である。また、微小石灰化クラスタ陰影候補の検出アルゴリズムとしては、例えばモルフォルジーフィルタ（電気情報通信学会論文誌(D-II),Vol.J71-D-II,no.7,pp.1170-1176,1992）、ラプラシアンフィルタ（電気情報通信学会論文誌(D-II),Vol.J71-D-II,no.10,pp.1994-2001,1998）、３重リングフィルタ等を用いた方法等を適用可能である。
【０１４０】
異常陰影候補の検出が終了すると、図３０のＢに示すように、表示部５３に表示されている吸収画像上に、異常陰影候補が検出された位置を示すアノテーションが表示される。図３０のＢにおいて、楕円のアノテーションは、微小石灰化クラスタ陰影候補の位置を示し、矩形のアノテーションは、腫瘤陰影候補の位置を示している。また、破線のアノテーションは、偽陽性の疑いがある候補を示す。
【０１４１】
次いで、医師は、表示部５３に表示された医用画像及びアノテーションを参照し、操作部５２により２次診断の対象となる候補の領域を指定（例えば、ダブルクリック）する。操作部５２により２次診断の対象となる候補の領域が指定されると、指定された異常陰影候補の種類（例えば、腫瘤、微小石灰化クラスタ・・・）に応じた表示が行われる。
【０１４２】
例えば、腫瘤は吸収画像、小角散乱画像、微分位相画像の何れにおいても表れる可能性がある。そこで、操作部５２により矩形の領域、即ち、腫瘤候補の領域が指定された場合、図３０のＣ〜Ｅに示すように、小角散乱画像→微分位相画像→吸収画像が所定時間毎に切り替えられて循環表示される。
【０１４３】
具体的には、まず、表示部５３に小角散乱画像が表示される。このとき、図３０のＣに示すように、指定された領域以外の不要部分による幻惑防止のため、指定された腫瘤候補の領域以外は黒化処理されて（黒に変換された低輝度状態で）表示される。次いで、所定時間経過後に、微分位相画像に切替表示される。図３０のＤに示すように、微分位相画像を表示する場合も同様に、指定領域以外は黒化処理されて表示される。次いで、所定時間経過後に、図３０のＥに示すように、指定領域以外が黒化処理された吸収画像が表示される。これが繰り返される。
【０１４４】
また、例えば、微小石灰化クラスタは、微分位相画像に表れやすい。そこで、操作部５２により楕円の領域、即ち、微小石灰化クラスタ候補の領域が指定された場合、微分位相画像→小角散乱画像→吸収画像が所定時間毎に切り替えられて循環表示される。このとき、指定された領域以外の不要部分による幻惑防止のため、指定された微小石灰化クラスタ候補の領域以外は黒化処理されて表示される。
【０１４５】
このように、本実施形態においては、ＣＡＤにより検出された異常陰影候補の領域に対し、小角散乱画像、微分位相画像を表示させることができるので、吸収画像ベースの異常陰影候補検出結果の真陽性／偽陽性を、被写体の吸収画像では表れない特徴を再現する小角散乱画像及び／又は微分位相画像に基づいて判別することが可能となる。
【０１４６】
ここで、従来の吸収画像ベースの診断体系においては、先にＸ線乳房撮影により得られた吸収画像に対し異常陰影候補の検出を行って、異常があれば、例えば超音波診断装置のような他モダリティで追加撮影を行って診断精度を高め、最終的に生体検査（バイオプシー検査）に繋げていた。そのため、患者にとっては２回の通院が必要で負担が大きかった。予め超音波診断を並行して実施しておくこともあるが、この場合は、異常陰影候補が検出されなかった患者にとっては無駄であった。更に、ＣＡＤで検出された異常陰影候補の領域と超音波診断装置等で撮影する領域との対応付けは撮影者自身の操作に依存するので、対応付けの誤りにより誤診を招く恐れがあった。
本実施形態の方式では、ＣＡＤにおいて異常陰影候補の検出があった領域に対し、ＣＡＤの検出に用いた吸収画像と同じ一回の撮影セットによって得られた、吸収画像とは異なる特徴を表す微分位相画像や小角散乱画像を提供するので、超音波診断等の再度の撮影が不要となり、患者の負担を低減することができる。また、同一医師による早期診断が可能である。また、被写体及びその配置が吸収画像と同一であるので、２回の診断の画像同士の位置合わせが不要で、かつ正確であり、診断精度の向上を図ることができる。更に、位置合わせを行わず、黒化処理を行うだけであるので、処理時間の短縮を図ることができる。２次診断の対象となる領域以外は黒化処理をして表示することで、いたずらに読影時間を必要とすることなく、診断性能を高めることができる。
【０１４７】
また、吸収画像の表示後、小角散乱画像、微分位相画像を表示し、これらの画像に基づく再読影を行うことで、異常陰影の有無自体や異常陰影の良性／悪性等の１次診断の結果を自己修正可能となる。また、小角散乱画像、微分位相画像の読影後に、再度、吸収画像の読影を行うと、最初は見えなかった異常陰影や、良性／悪性の差異等が、やがて、視認できるようになり、この診断方法を繰り返すことで、医師は、やがて、新たなステップアップした診断分解能を確立することになり、吸収画像のみに基づく診断であっても、従前よりも高精度の診断を行うことができるようになり、好ましい。
【０１４８】
なお、小角散乱画像、微分位相画像、吸収画像の何れの種類の画像をどのタイミングで切替表示するかは、ユーザ毎、部位毎に操作部５２により予め設定しておくことができる。また、黒化処理をするか、全画像領域を表示するかについても、予め設定することとしてもよい。
【０１４９】
また、まず、吸収画像において異常陰影候補の検出を行い、検出された領域についてのみ小角散乱画像、微分位相画像を作成することとしてもよい。これにより、更に処理時間を短縮することができる。
【０１５０】
また、吸収画像からの異常陰影候補検出結果を用いる実施例としては、以下に説明する変形例の処理及び表示を行うようにしてもよい。
【０１５１】
まず、コントローラ５において、再構成画像の作成が終了すると、制御部５１と記憶部５５に記憶されているプログラムとの協働により、吸収画像に対して異常陰影候補検出処理が実行され、吸収画像からの異常陰影候補の検出が行われる。
異常陰影候補が検出された場合、吸収画像上の検出された異常陰影候補の位置にアノテーションを付した縮小画像５３１ａが作成される。また、小角散乱画像又は微分位相画像の左乳房画像と右乳房画像を胸壁で合わせた主画像５３１ｂが作成される。そして、図３１に示すように、主画像５３１ｂが中央に配置され、主画像５３１ｂの被写体領域外に縮小画像５３１ａが配置された診断用画面５３１が表示部５３に表示される。
【０１５２】
この変形例においては、上記第２の実施形態と同様に、従来のように吸収画像に対して異常陰影候補の検出を行い、その結果を、微分位相画像又は小角散乱画像からなるライフサイズの主画像５３１ｂの観察に邪魔にならない場所に縮小画像５３１ａで表示する。従って、従来と同様の吸収画像ベースで検出された異常陰影候補について、その位置を確認しながら吸収画像とは異なる特徴を再現する小角散乱画像又は微分位相画像を観察して、異常陰影候補が真陽性であるか偽陽性であるかの２次診断を行うことが可能となる。
この変形例においても、第２の実施形態と同様に、ＣＡＤの検出に用いた吸収画像と同じ１回の撮影により得られた画像を処理して作成した、吸収画像とは異なる特徴を表す画像を提供するので、患者は２回の通院は不要で患者負担を低減することができる。同一医師による早期診断も可能となる。また、主画像と被写体の配置が同一の縮小画像で異常陰影候補の位置を確認できるので、異常陰影候補の位置を主画像から精度良く捜して診断を行うことが可能となる。                                        
【０１５３】
なお、主画像５３１ｂとして小角散乱画像又は微分位相画像の何れの種類の画像を表示させるかは、ユーザ毎、又は部位毎に操作部５２により予め設定しておくことができる。また、主画像５３１ｂとして、小角散乱画像、微分位相画像の両方を切替表示することとしてもよい。この場合、１回の撮影セットにより得られた画像により作成された、検出器に対する被写体の配置が同一の小角散乱画像、微分位相画像を用いるので、最初の画像で左乳房画像と右乳房画像の胸壁の位置合わせを行えば他方では位置合わせ処理を行うことなく、画像データを切り替えるだけで左右の乳房の位置の合った主画像５３１ｂを提供することができる。
【０１５４】
（第３の実施形態）
以下、本発明の第３の実施形態について説明する。
第３の実施形態においては、ＣＡＤの検出結果を用いて第１の実施形態における切替表示の表示順を決定する例について説明する。
【０１５５】
第３の実施形態における医用画像表示システムにおけるＸ線撮影装置１及びコントローラ５の構成、撮影〜再構成画像の作成までの動作は、第１の実施形態において説明したものと同様であるので説明を援用する。
【０１５６】
コントローラ５において、再構成画像の作成が終了すると、制御部５１と記憶部５５に記憶されている異常陰影候補検出プログラムとの協働により、吸収画像、小角散乱画像、微分位相画像のそれぞれから異常陰影候補の検出が行われる。各画像に適用される異常陰影候補検出プログラムのアルゴリズムは共通である。検出後、異常陰影候補が検出された画像を最初に表示する画像として、図２９に示すように、吸収画像、小角散乱画像、微分位相画像が表示部５３に所定時間毎に切り替えて循環表示される。
【０１５７】
具体的に、吸収画像、小角散乱画像、微分位相画像の異常陰影候補の検出結果と各画像の表示順としては、以下の態様が考えられる。
（１）１つの画像からのみ異常検出候補が検出された場合
この場合、異常陰影候補が検出された画像→吸収画像→残りの画像の順に表示する。吸収画像のみから異常陰影候補が検出された場合、まず、医師が見慣れた吸収画像から表示する。小角散乱画像と微分位相画像の優先順位は、操作部５２から予め設定しておくこととしてもよい。
【０１５８】
（２）３つの画像の異常陰影候補の検出結果が同じであった場合
この場合、まず、医師が見慣れた吸収画像を表示し、次いで、操作部５２からの切替指示に応じて、他の画像を表示する。切替指示に応じて表示する画像の種類は、操作部５２から予め設定しておくこととする。或いは、医師の診断し易い表示順を予め設定しておくこととしてもよい。
（２ａ）３つの画像の全てから異常陰影候補が検出されなかった場合
異常陰影候補検出プログラムにおいて異常陰影候補の検出に用いられる閾値を下げて再度３つの画像のそれぞれに対して異常陰影候補検出処理を行うことにより、偽陽性に近いほうの候補を検出し、（１）と同様に、異常陰影候補が検出された画像から順に表示する。
（２ｂ）３つの画像の全てから異常陰影候補が検出された場合
異常陰影候補検出プログラムにおいて異常陰影候補の検出に用いられる閾値を上げて再度３つの画像のそれぞれに対して異常陰影候補検出処理を行い、より真陽性に近いほうの候補まで検出し、（１）と同様に、異常陰影候補が検出された画像から順に表示する。
【０１５９】
ここで、図３２を参照して異常陰影候補と閾値との関係について説明する。
一般的に、異常陰影候補検出プログラムは、異常陰影候補の可能性のある候補領域を所定の検出アルゴリズムで一次検出し、検出された各一次候補についての特徴量（又は、特徴量から算出された指標値）が予め定められた閾値を超えたか否かに基づいて、最終的に異常陰影候補であるか否かの判定を行っている(例えば、特開２００７−１５１４６５号公報参照)。図３２に示す第１の閾値を超えている場合は明白な真陽性ゾーン（ＴＰ）、第２の閾値を下回る場合は明白な偽陽性ゾーン（ＦＰ）とすると、第１の閾値と第２の閾値の間にある異常陰影候補は、真陽性であるか偽陽性であるかの判断が異常陰影候補検出プログラムの感度によって異なるグレーゾーンとなる。このグレーゾーンにある候補については、ＣＡＤ以外の方法で異常であるか否かを別途判定する必要がある。従来は、グレーゾーンについては他のモダリティで判別を行っていた。上述の（２ａ）では、吸収画像、小角散乱画像、微分位相画像の全てにおいて異常陰影候補が検出されなかった場合、閾値を下げて第２の閾値に近づけ、よりＦＰに近いグレーゾーンの異常陰影候補を検出できるようにする。そして、異常陰影候補が検出された画像を最初に表示することで、医師がＴＰに近いグレーゾーンの異常陰影候補を集中して読影できるようにする。また、上述の（２ｂ）では、吸収画像、小角散乱画像、微分位相画像の全てにおいて異常陰影候補が検出された場合、閾値を上げて第１の閾値に近づけ、よりＴＰに近いグレーゾーンの異常陰影候補を検出できるようにする。そして、閾値を上げても異常陰影候補が検出された画像を最初に表示することで、医師がＦＰに近いグレーゾーンの異常陰影候補を集中して読影できるようにする。
【０１６０】
（３）吸収画像から異常陰影候補が検出されず、微分位相画像と小角散乱画像から異常陰影候補が検出された場合
検出された数が多いほうの画像と吸収画像を交互に切替表示、同時２画面表示、又は、重ねて１画面表示する。
（３ａ）吸収画像から異常陰影候補が検出されず、微分位相画像と小角散乱画像から異常陰影候補が検出された場合
微分位相画像用、小角散乱画像用の異常陰影候補検出プログラムの閾値を上げて再度異常陰影候補検出処理を行い、より真陽性に近い候補のみを検出し、（１）と同様に、異常陰影候補が検出された画像から順に表示する。
【０１６１】
なお、上述の第３の実施形態においては、吸収画像、小角散乱画像、微分位相画像に共通の異常陰影候補検出アルゴリズムを適用した場合について説明したが、画像毎に予め定められた異常陰影候補検出アルゴリズム（同一アルゴリズムで閾値が異なる、アルゴリズム自体が異なるものを含む）を適用し、上記（１）〜（３ａ）の各ケースに従って表示を行うこととしてもよい。
【０１６２】
なお、吸収画像、小角散乱画像、微分位相画像の２種以上の切替表示は、図２９に示すように単独で行ってもよいし、図３３Ａ、図３３Ｂ、図３４に示すように、吸収画像、小角散乱画像、微分位相画像とともに表示部５３の画面上に並べて表示してもよい。
【０１６３】
図３３Ａに、吸収画像５３２ａ、小角散乱画像５３２ｂ、微分位相画像５３２ｃ、切替表示画像５３２ｄが並べて配置された診断用画面５３２の一例を示す。切替表示画像５３２ｄは、吸収画像５３２ａ、小角散乱画像５３２ｂ、微分位相画像５３２ｃの２種以上を所定時間毎に切替表示した画像である。
【０１６４】
図３３Ａに示す診断用画面５３２において、操作部５２により吸収画像５３２ａ、小角散乱画像５３２ｂ、微分位相画像５３２ｃの何れかの画像上にＲＯＩが設定されると、その画像上のＲＯＩが矩形で囲まれる等により識別可能に表示されるとともに、図３３Ａに示すように、他の再構成画像上においてもＲＯＩが識別可能に表示される。そして、切替表示画像５３２ｄのＲＯＩ以外の領域が黒化処理される。また、図３３Ａに示すように、診断用画面５３２には速度調整レバー５３２ｅが設けられており、操作部５２によりこの速度調整レバーを操作することで、切替表示画像５３２ｄに表示される画像を切り替える間隔を調整することができる。
【０１６５】
診断用画面５３２によれば、例えば、手足等の整形分野において、医師は見慣れた吸収画像５３２ａを診て、また問診により、疑わしいと思われる領域を操作部５２により選択する。そうすると、吸収画像の選択した領域とともに小角散乱画像及び微分位相画像の対応する領域がＲＯＩとして識別可能に表示されるので、小角散乱画像や微分位相画像によりその部分の軟骨の摩耗、欠損を診断したり、腱や靭帯の断裂がないか診断したりすることができる。そして診たい場所にフォーカスした循環表示で各画像の情報を統合した診断を行うことができる。また、診断用画面５３２によれば、切替表示のほか、被写体の異なる特徴を表す３つの画像が同時に表示されるので、何ら操作することなく最も特徴的な画像にて最終確認を行うことができる。
【０１６６】
なお、ＣＡＤにより吸収画像から異常陰影候補の検出を行い、図３３Ｂに示すように、吸収画像５３２ａに異常陰影候補の位置を示すアノテーションを表示することとしてもよい。また、ＣＡＤにより異常陰影候補として検出された領域を自動的にＲＯＩとして設定することとしてもよい。
【０１６７】
また、図３４に示す診断用画面５３３に示すように、医師が診断に慣れている吸収画像５３３ａと、切替表示画像５３３ｂとを並べて一画面上に表示することとしてもよい。切替表示画像５３３ｂは、初期表示の段階では吸収画像を表示しておき、吸収画像５３３ａにおいて操作部５２によりＲＯＩとして設定された領域について切替表示を行うこととしてもよい。
【０１６８】
また、切替表示画像５３２ｄ、５３３ｂは、吸収画像→小角散乱画像（微分位相画像）→微分位相画像（小角散乱画像）の３つの画像を切り替えてもよいし、上述のように、３つの画像における異常陰影候補検出結果に応じた画像を切り替えることとしてもよい。
【０１６９】
以上説明したように、医用画像表示システムによれば、コントローラ５の制御部５１は、Ｘ線撮影装置１において縞走査型撮影装置による第１の撮影モード、又はフーリエ変換型撮影装置による第２の撮影モードによる撮影によって得られたモアレ画像に基づいて、Ｘ線吸収画像、微分位相画像、及び小角散乱画像のうち少なくとも２つを作成する。そして、作成された画像の表示部５３への制御を行う。
【０１７０】
例えば、第１の実施形態に記載のように、制御部５１は、作成されたＸ線吸収画像、微分位相画像、及び小角散乱画像のうち少なくとも２つを表示部５３の同一位置に順次切替表示する。
具体的には、被写体部位が乳房画像である場合には、吸収画像→小角散乱画像→微分位相画像の順次切替表示するよう制御する。吸収画像には、大きな構造の変化の情報が表れる。よって、吸収画像を最初に表示することで、医師は、乳房全体における脂肪や乳腺の分布や大きな病変を把握することができる。次いで、小角散乱画像を表示することで、石灰化と、石灰化を伴わない癌組織の集積部を感度高く検出し、乳癌の有無を判別することができる。次いで、微分位相画像を表示することで、腫瘤や乳癌組織と正常組織の辺縁部を検出し、乳癌の拡がり範囲を識別することができる。
また、被写体部位が手足等である場合には、吸収画像→微分位相画像の順に切替表示するよう制御する。まず吸収画像を表示することで、医師は、軟骨や腱のある場所の見当をつけることができ、次いで、微分位相画像を表示することで、軟骨の摩耗や腱の破裂などの有無を判別することができる。
【０１７１】
このように、被写体部位に応じた順番でＸ線吸収画像、微分位相画像、及び小角散乱画像のうち少なくとも２つを表示部５３の同一位置に順次切替表示することで、モアレ画像から作成される再構成画像を有効活用することができ、早期診断を実現することができるとともに、診断精度の向上を図ることができる。
【０１７２】
また、第３の実施形態に記載のように、Ｘ線吸収画像、微分位相画像、及び小角散乱画像の各画像からＣＡＤによる異常陰影候補の検出を行い、各画像からの検出結果に基づいて切替表示を行う画像の種類及び表示順を制御することで、異常陰影候補の検出結果に応じた表示を行うことが可能となる。具体的に、異常陰影候補が検出された画像から順に表示することで、医師が異常陰影候補として検出された部分を集中して読影することが可能となり、診断精度の向上を図ることが可能となる。
【０１７３】
また、第３の実施形態に記載のように、Ｘ線吸収画像、微分位相画像、及び小角散乱画像の各画像を切替表示と同一画面上に表示することで、被写体の異なる特徴を表す３つの画像が切替表示とともに同時に表示されるので、切替表示で各画像の特徴を統合した診断を行った後、最も異常陰影候補の特徴の表れた画像で診断の最終確認を行うことが可能となる。
【０１７４】
また、第２の実施形態に記載のように、例えば、被写体部位が乳房である場合、制御部５１は、まず、吸収画像を表示部５３に表示し、次いで、従来と同様に吸収画像からＣＡＤによる異常陰影候補の検出を行い、検出された異常陰影候補が腫瘤陰影候補である場合、小角散乱画像→微分位相画像→吸収画像の順に、表示部５３に切替表示を行うよう制御する。検出された異常陰影候補が微小石灰化クラスタである場合、微分位相画像→小角散乱画像→吸収画像の順に、表示部５３に切替表示を行うよう制御する。或いは、微分位相画像又は小角散乱画像を主画像として画面中央に配置し、吸収画像上に異常陰影候補の検出位置を表示した縮小画像を主画像の被写体領域外に配置した診断用画面を表示するよう制御する。
このように、ＣＡＤにおいて異常陰影候補の検出があった領域に対し、ＣＡＤの検出に用いた吸収画像と同じ一回の撮影セットによって得られた、吸収画像とは異なる特徴を表す微分位相画像や小角散乱画像を表示部５３に表示することで、超音波診断等の再度の撮影が不要となり、患者の負担を低減することができる。また、同一医師による早期診断が可能である。また、被写体及びその配置が吸収画像と同一であるので、２回の診断の画像同士の位置合わせが不要で、かつ正確であり、診断精度の向上を図ることができる。更に、各画像の位置合わせを行う必要がないので、処理時間の短縮を図ることができる。
【０１７５】
なお、上記実施形態は本発明の好適な一例であり、これに限定されない。
例えば、上記実施形態においては、Ｘ線撮影装置１を、マルチスリットを有し、マルチスリットを第１格子及び第２格子に対して相対的に移動させることで縞走査法用の複数のモアレ画像を生成するタルボ・ロー干渉計の構成とした例を説明したが、第１格子と第２格子とを一定周期間隔で相対移動させ、一定周期間隔での移動毎にＸ線源により照射されたＸ線に応じて放射線検出器が画像信号を読み取る処理を繰り返すことで縞走査法用の複数のモアレ画像を生成するタルボ干渉計としてもよい。そして、タルボ干渉計で生成された複数のモアレ画像を再構成することにより得られる吸収画像、微分位相画像、小角散乱画像を上述のように表示部５３の同一位置に順次切り替え表示することとしてもよい。
また、上記実施例では、縞走査方式とフーリエ変換方式（改良型含む）の両方式が可能な装置により撮影された１次元画像データに基づく再構成画像を使用したが、これに限定されるものでは無く、フーリエ変換方式（改良型含む）専用の装置を用いても良い。
また、第１格子及び第２格子を２次元格子としたフーリエ変換方式専用の撮影装置や、更に焦点位置近傍にマルチ格子（２次元格子）を併用したフーリエ変換方式専用の撮影装置で撮影された２次元画像データに基づく再構成画像に適用しても良い。
【０１７６】
また、上記実施形態においては、吸収画像、微分位相画像、小角散乱画像を表示部５３の同一位置に順次切り替え表示する場合を例にとり本発明の表示方法について説明したが、本発明の表示方法は、これに限定されず、同一の撮影画像に異なる画像処理を施して作成した複数の画像を表示する場合に適用可能である。
また、切替表示に際しては、画像が切替られたことを容易に視認可能なように、各表示画面の彩度（色）を、例えば、黒モノトーン、赤モノトーン、青モノトーンのように切替えても良い。
【０１７７】
また、上記実施形態では、Ｘ線源１１、マルチスリット１２、被写体台１３、第１格子１４、第２格子１５、Ｘ線検出器１６をこの順に配置（以下、第１の配置と呼ぶ）したが、Ｘ線源１１、マルチスリット１２、第１格子１４、被写体台１３、第２格子１５、Ｘ線検出器１６の配置（以下、第２の配置と呼ぶ）としても、第１格子１４及び第２格子１５は固定のまま、マルチスリット１２の移動により、再構成画像を得ることが可能である。
第２の配置においては、被写体の厚み分だけ、被写体中心と第１格子１４は離れることになり、上記の実施形態に比べ感度の点でやや劣ることになるが、一方で、被写体への被曝線量低減を考慮すると、当該配置の方が第１格子１４でのＸ線吸収分だけＸ線を有効に活用していることになる。  
また、被写体位置での実効的な空間分解能は、Ｘ線の焦点径、検出器の空間分解能、被写体の拡大率、被写体の厚さ等に依存するが、上記実施例に於ける検出器の空間分解能が１２０μm（ガウスの半値幅）以下の場合には、第１の配置よりも第２の配置の方が実効的な空間分解能は小さくなる。
感度、空間分解能、及び、第１格子１４でのＸ線吸収量等を考慮して、第１格子１４、被写体台１３の配置順をきめることが好ましい。
【０１７８】
また、被写体有りの撮影と、被写体無しの撮影の順序は、上記実施形態に限定されず、何れを先としてもよい。被写体有りの再構成画像の作成と、被写体無しの再構成画像の作成の順序についても同様である。
【０１７９】
その他、医用画像表示システムを構成する各装置の細部構成及び細部動作に関しても、発明の趣旨を逸脱することのない範囲で適宜変更可能である。
【０１８０】
なお、明細書、請求の範囲、図面及び要約を含む２０１１年３月２３日に出願された日本特許出願Ｎｏ．２０１１−０６３４７０号の全ての開示は、そのまま本出願の一部に組み込まれる。
【産業上の利用可能性】
【０１８１】
医療の分野においてＸ線画像を表示する医用画像表示システムとして利用可能性がある。
【符号の説明】
【０１８２】
１  Ｘ線撮影装置
１１  Ｘ線源
１２  マルチスリット
１２ａ  ラック
１２ｂ  ホルダー
１２１  マルチスリット回転部
１２１ａ  モータ部
１２１ｂ  ギア部
１２１ｃ  ギア部
１２１ｄ  支持部
１２１ｅ  開口部
１２２  駆動部
１２２ａ  モータ部
１２２ｂ  ギア部
１２２ｃ  ピニオン
１３  被写体台
１３０  被写体ホルダー
１３１  楕円形状
１３３  指間スペーサ
１４  第１格子
１４０  格子部
１４１  第１ホルダー部
１４２  第２ホルダー部
１４２ａ  突起部
１５  第２格子
１５０  格子部
１５１  ホルダー部
１６  Ｘ線検出器
１７  保持部
１７ａ  緩衝部材
１７１ａ  開口部
１７１ｂ  トレイ固定部材
１８  本体部
１８１  制御部
１８２  操作部
１８３  表示部
１８４  通信部
１８５  記憶部
１８ａ  駆動部
２１０  格子回転部
２１１  ハンドル
２１２  回転トレイ
２１２ａ  開口部
２１２ｂ〜２１２ｅ  凹部
２１３  相対角調整部
２１３ａ  モータ部
２１３ｂ  第１ギア
２１３ｃ  第２ギア
２１３ｄ  レバー
２１４  ストッパー
５  コントローラ
５１  制御部
５２  操作部
５３  表示部
５４  通信部
５５  記憶部
【図１】
2012128335.tif 000003
【図２Ａ】
2012128335.tif 000004
【図２Ｂ】
2012128335.tif 000005
【図３】
2012128335.tif 000006
【図４Ａ】
2012128335.tif 000007
【図４Ｂ】
2012128335.tif 000008
【図５】
2012128335.tif 000009
【図６】
2012128335.tif 000010
【図７Ａ】
2012128335.tif 000011
【図７Ｂ】
2012128335.tif 000012
【図７Ｃ】
2012128335.tif 000013
【図７Ｄ】
2012128335.tif 000014
【図８】
2012128335.tif 000015
【図９】
2012128335.tif 000016
【図１０】
2012128335.tif 000017
【図１１】
2012128335.tif 000018
【図１２】
2012128335.tif 000019
【図１３】
2012128335.tif 000020
【図１４】
2012128335.tif 000021
【図１５】
2012128335.tif 000022
【図１６】
2012128335.tif 000023
【図１７】
2012128335.tif 000024
【図１８Ａ】
2012128335.tif 000025
【図１８Ｂ】
2012128335.tif 000026
【図１８Ｃ】
2012128335.tif 000027
【図１９】
2012128335.tif 000028
【図２０Ａ】
2012128335.tif 000029
【図２０Ｂ】
2012128335.tif 000030
【図２１Ａ】
2012128335.tif 000031
【図２１Ｂ】
2012128335.tif 000032
【図２２】
2012128335.tif 000033
【図２３】
2012128335.tif 000034
【図２４】
2012128335.tif 000035
【図２５】
2012128335.tif 000036
【図２６】
2012128335.tif 000037
【図２７】
2012128335.tif 000038
【図２８Ａ】
2012128335.tif 000039
【図２８Ｂ】
2012128335.tif 000040
【図２８Ｃ】
2012128335.tif 000041
【図２９】
2012128335.tif 000042
【図３０】
2012128335.tif 000043
【図３１】
2012128335.tif 000044
【図３２】
2012128335.tif 000045
【図３３Ａ】
2012128335.tif 000046
【図３３Ｂ】
2012128335.tif 000047
【図３４】
2012128335.tif 000048
【手続補正書】
【提出日】平成25年7月2日(2013.7.2)
【手続補正１】
【補正対象書類名】明細書
【補正対象項目名】００１４
【補正方法】変更
【補正の内容】
【００１４】
上記課題を解決するため、請求項１に記載の発明の医用画像表示システムは、
Ｘ線を照射するＸ線源と、第１格子及び第２格子と、被写体台と、照射されたＸ線に応じて電気信号を生成する変換素子が２次元状に配置され、当該変換素子により生成された電気信号を画像信号として読み取るＸ線検出器と、を備える縞走査型撮影装置又はフーリエ変換型撮影装置と、
前記何れかの撮影装置で撮影された被写体の画像信号に基づき、複数の診断用の再構成画像を生成する画像処理部と、
前記画像処理部で生成された複数の診断用の再構成画像のうち少なくとも２つを表示する表示部と、
前記画像処理部で生成された複数の診断用の再構成画像のそれぞれに対して異常陰影候補の検出を行い、当該検出の結果に基づいて、前記画像処理部で生成された複数の診断用の再構成画像の前記表示部への表示順を制御する制御部と、
を備える。
請求項２に記載の発明は、請求項１に記載の発明において、
前記複数の診断用の再構成画像は、吸収画像、微分位相画像及び小角散乱画像のうちの少なくとも２つを含む。
請求項３に記載の発明は、請求項１又は２に記載の発明において、
前記制御部は、前記複数の診断用の再構成画像に対して共通の異常陰影候補検出アルゴリズムを適用する。
請求項４に記載の発明は、請求項１又は２に記載の発明において、
前記制御部は、前記複数の診断用の再構成画像のそれぞれに対して予め定められた異常陰影候補検出アルゴリズムを適用する。
【手続補正２】
【補正対象書類名】明細書
【補正対象項目名】００１５
【補正方法】変更
【補正の内容】
【００１５】
請求項５に記載の発明の医用画像表示システムは、
Ｘ線を照射するＸ線源と、第１格子及び第２格子と、被写体台と、照射されたＸ線に応じて電気信号を生成する変換素子が２次元状に配置され、当該変換素子により生成された電気信号を画像信号として読み取るＸ線検出器と、を備える縞走査型撮影装置又はフーリエ変換型撮影装置と、
前記何れかの撮影装置で撮影された被写体の画像信号に基づき、複数の診断用の再構成画像を生成する画像処理部と、
前記画像処理部で生成された複数の診断用の再構成画像のうち少なくとも２つを表示する表示部と、
被写体部位に応じて前記画像処理部で生成された複数の診断用の再構成画像の前記表示部への表示順を制御する制御部と、
を備える。
請求項６に記載の発明は、請求項５に記載の発明において、
前記制御部は、前記被写体部位が乳房である場合、吸収画像、小角散乱画像、微分位相画像の順に表示する。
請求項７に記載の発明は、請求項５に記載の発明において、
前記制御部は、前記被写体部位が手足である場合、吸収画像、微分位相画像の順に表示する。
【手続補正３】
【補正対象書類名】明細書
【補正対象項目名】００１６
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
Ｘ線を照射するＸ線源と、第１格子及び第２格子と、被写体台と、照射されたＸ線に応じて電気信号を生成する変換素子が２次元状に配置され、当該変換素子により生成された電気信号を画像信号として読み取るＸ線検出器と、を備える縞走査型撮影装置又はフーリエ変換型撮影装置と、
前記何れかの撮影装置で撮影された被写体の画像信号に基づき、複数の診断用の再構成画像を生成する画像処理部と、
前記画像処理部で生成された複数の診断用の再構成画像のうち少なくとも２つを表示する表示部と、
前記画像処理部で生成された複数の診断用の再構成画像のそれぞれに対して異常陰影候補の検出を行い、当該検出の結果に基づいて、前記画像処理部で生成された複数の診断用の再構成画像の前記表示部への表示順を制御する制御部と、
を備える医用画像表示システム。
【請求項２】
前記複数の診断用の再構成画像は、吸収画像、微分位相画像及び小角散乱画像のうちの少なくとも２つを含む請求項１に記載の医用画像表示システム。
【請求項３】
前記制御部は、前記複数の診断用の再構成画像に対して共通の異常陰影候補検出アルゴリズムを適用する請求項１又は２に記載の医用画像表示システム。
【請求項４】
前記制御部は、前記複数の診断用の再構成画像のそれぞれに対して予め定められた異常陰影候補検出アルゴリズムを適用する請求項１又は２に記載の医用画像表示システム。
【請求項５】
Ｘ線を照射するＸ線源と、第１格子及び第２格子と、被写体台と、照射されたＸ線に応じて電気信号を生成する変換素子が２次元状に配置され、当該変換素子により生成された電気信号を画像信号として読み取るＸ線検出器と、を備える縞走査型撮影装置又はフーリエ変換型撮影装置と、
前記何れかの撮影装置で撮影された被写体の画像信号に基づき、複数の診断用の再構成画像を生成する画像処理部と、
前記画像処理部で生成された複数の診断用の再構成画像のうち少なくとも２つを表示する表示部と、
被写体部位に応じて前記画像処理部で生成された複数の診断用の再構成画像の前記表示部への表示順を制御する制御部と、
を備える医用画像表示システム。
【請求項６】
前記制御部は、前記被写体部位が乳房である場合、吸収画像、小角散乱画像、微分位相画像の順に表示する請求項５に記載の医用画像表示システム。
【請求項７】
前記制御部は、前記被写体部位が手足である場合、吸収画像、微分位相画像の順に表示する請求項５に記載の医用画像表示システム。
【国際調査報告】
2012128335.tif 000049
2012128335.tif 000050
2012128335.tif 000051
2012128335.tif 000052